(57)【要約】  本発明の実施例はマシン型通信方法を提供し、前記方法は、基地局は端末より送信された端末のアイデンティティーとサービス登録情報を受信することと、前記基地局は、前記サービス登録情報に基づいて、前記端末に報告時間周波数リソース情報を割り当てることと、前記基地局は、前記報告時間周波数リソース情報を前記端末に送信することと、前記基地局は、前記端末が前記報告時間周波数リソース情報に基づいて送信された上りデータパケットを受信することと、を含み、前記サービス登録情報は、サービスタイプとサービス加入情報を含む。本発明の実施例において、端末が基地局に上りデータパケットを送信することを保証するために、基地局は端末に報告時間周波数リソース情報を割り当て、このようなスケジューリングは簡単で統一しており、マシン型通信の複雑度と消耗電力を減少することができ、さらに、ＭＴＣシステムの配置コストを削減し、電池給電設備の使用時間を延ばすことができる。
2018516506.tif 000002
【特許請求の範囲】
【請求項１】
マシン型通信（ＭＴＣ）方法であって、
基地局は、端末より送信された端末のアイデンティティーとサービス登録情報を受信することと、
前記基地局は、前記サービス登録情報に基づいて、前記端末に報告時間周波数リソース情報を割り当てることと、
前記基地局は、前記報告時間周波数リソース情報を前記端末に送信することと、
前記基地局は、前記端末が前記報告時間周波数リソース情報に基づいて送信された上りデータパケットを受信することと、を含み、
前記サービス登録情報は、サービスタイプとサービス加入情報を含むことを特徴とする、マシン型通信方法。
【請求項２】
前記報告時間周波数リソース情報を前記端末に送信する前に、
前記端末のために無線接続を確立し、前記基地局は、能動的に前記無線接続を解放しないこと、
をさらに含むことを特徴とする請求項１に記載のマシン型通信方法。
【請求項３】
ネットワーク装置又は前記端末より送信される終了要求を受信することと、
前記終了要求に基づいて、前記無線接続を解放することと、
をさらに含むことを特徴とする請求項２に記載のマシン型通信方法。
【請求項４】
前記ネットワーク装置は、
無線アクセスネットワーク、ユーザアイデンティティーデータサーバ、認証サーバ、及びＭＴＣサービス加入サーバのいずれか一つであることを特徴とする請求項３に記載のマシン型通信方法。
【請求項５】
前記報告時間周波数リソース情報は、時間周波数リソース位置情報と報告周期を含み、
又は、
前記報告時間周波数リソース情報は、時間周波数リソースシーケンス生成方法と報告周期を含み、
又は、
前記報告時間周波数リソース情報は、時間周波数リソース位置情報と報告回数を含むことを特徴とする請求項１乃至４のいずれか１項に記載のマシン型通信方法。
【請求項６】
前記報告時間周波数リソース情報は、前記基地局が他の端末に割り当てる報告時間周波数リソース情報と同じであることを特徴とする請求項１乃至５のいずれか１項に記載のマシン型通信方法。
【請求項７】
前記端末が、休止状態から復帰してから相対時間のオフセットを利用して時間の校正を行うために、前記端末に前記相対時間のオフセットを送信すること、
をさらに含むことを特徴とする請求項１乃至６のいずれか１項に記載のマシン型通信方法。
【請求項８】
前記相対時間のオフセットは、システムフレーム番号であることを特徴とする請求項７に記載のマシン型通信方法。
【請求項９】
前記端末に、長さが予め設定された閾値より小さい唯一の識別子を割り当てることと、
前記端末にローカルの短いアドレスを割り当てることと、
前記識別子と前記ローカルの短いアドレスとの対応関係を確立することと、
前記識別子を前記端末に送信し、前記ローカルの短いアドレスをネットワーク装置に送信することと、
をさらに含むことを特徴とする請求項１乃至８のいずれか１項に記載のマシン型通信方法。
【請求項１０】
前記上りデータパケットは前記端末の識別子を含み、前記方法は、
前記識別子を前記ローカルの短いアドレスに置換え、前記置き換えた上りデータパケットを前記ネットワーク装置に転送すること、
をさらに含むことを特徴とする請求項９に記載のマシン型通信方法。
【請求項１１】
前記ネットワーク装置より送信された、前記ローカルの短いアドレスを含む下りデータパケットを受信することと、
前記下りデータパケット内の前記ローカルの短いアドレスを前記識別子に置換え、前記置き換えた下りデータパケットを前記端末に転送することと、
をさらに含むことを特徴とする請求項９に記載のマシン型通信方法。
【請求項１２】
前記端末より送信された電池容量情報と上り送信パワーレベル情報を受信することと、
前記電池容量情報と前記上り送信パワーレベル情報に基づいて、前記端末の電池使用状況を確定し、前記基地局の受信パワー損失を計算することと、
をさらに含むことを特徴とする請求項１乃至１１のいずれか１項に記載のマシン型通信方法。
【請求項１３】
前記電池容量情報と前記上り送信パワーレベル情報とに対する復調が失敗した場合、前記端末に、前記端末が上り送信パワーを上げるように指示するための命令情報を送信することを特徴とする請求項１２に記載のマシン型通信方法。
【請求項１４】
マシン型通信方法であって、
端末は、基地局に端末のアイデンティティーとサービス登録情報を送信することと、
前記端末は、前記基地局が前記サービス登録情報に基づいて前記端末に割り当てた報告時間周波数リソース情報を受信することと、
前記端末は、前記報告時間周波数リソース情報に基づいて、前記基地局に上りデータパケットを送信することと、を含み、
前記サービス登録情報は、前記端末のサービスタイプとサービス加入情報を含むことを特徴とするマシン型通信方法。
【請求項１５】
前記基地局に上りデータパケットを送信する前に、
前記基地局より送信された、長さが予め設定された閾値より小さい識別子を受信することをさらに含み、
前記上りデータパケットは前記識別子を含むことを特徴とする請求項１４に記載のマシン型通信方法。
【請求項１６】
前記報告時間周波数リソース情報は、時間周波数リソース位置情報と報告周期を含み、
前記報告時間周波数リソース情報に基づいて、前記基地局に上りデータパケットを送信することは、
前記時間周波数リソース位置において、前記報告周期で、前記基地局に周期的に前記上りデータパケットを送信すること、
を含むことを特徴とする請求項１４又は１５に記載のマシン型通信方法。
【請求項１７】
前記報告時間周波数リソース情報が、時間周波数リソースシーケンス生成方法と報告周期を含み、
前記報告時間周波数リソース情報に基づいて、前記基地局に上りデータパケットを送信することは、
前記時間周波数リソースシーケンス生成方法に基づいて、時間周波数リソースシーケンスを生成することと、
前記時間周波数リソースシーケンスにおいて、前記報告周期で、前記基地局に前記上りデータパケットを送信することと、
を含むことを特徴とする請求項１４又は１５に記載のマシン型通信方法。
【請求項１８】
前記報告時間周波数リソース情報が、時間周波数リソース位置情報と報告回数を含み、
前記報告時間周波数リソース情報に基づいて、前記基地局に上りデータパケットを送信することは、
前記時間周波数リソース位置において、前記基地局に周期的に前記上りデータパケットを送信することを含み、
送信回数は前記報告回数であることを特徴とする請求項１４又は１５に記載のマシン型通信方法。
【請求項１９】
前記基地局が電池容量情報と上り送信パワーレベル情報に基づいて前記端末の電池使用状況を確定し、前記基地局の受信パワー損失を計算するために、前記基地局に前記端末の前記電池容量情報と前記上り送信パワーレベル情報を送信すること、
をさらに含むことを特徴とする請求項１４又は１８に記載のマシン型通信方法。
【請求項２０】
前記上りデータパケットを送信した後に、休止状態に入ること、
をさらに含むことを特徴とする請求項１４又は１９に記載のマシン型通信方法。
【請求項２１】
前記休止状態から復帰してから、前記基地局より送信された相対時間のオフセットをリスニングすることと、
記憶されている時間基準及び前記相対時間のオフセットに基づいて、時間の校正を行うことと、
をさらに含むことを特徴とする請求項２０に記載のマシン型通信方法。
【請求項２２】
前記相対時間のオフセットはシステムフレーム番号であることを特徴とする請求項２１に記載のマシン型通信方法。
【請求項２３】
前記基地局に端末のアイデンティティーとサービス登録情報を送信した後に、
前記基地局と無線接続を確立すること、
をさらに含むことを特徴とする請求項１４乃至２２のいずれか１項に記載のマシン型通信方法。
【請求項２４】
前記端末の電池電量が予め設定された電量閾値より小さい場合、前記基地局が終了要求に基づいて前記無線接続を解放するために、アラーム情報を送信し、前記基地局に前記終了要求を送信すること、
をさらに含むことを特徴とする請求項２３に記載のマシン型通信方法。
【請求項２５】
基地局であって、
端末より送信された端末のアイデンティティーとサービス登録情報を受信するように構成される受信ユニットと、
前記受信ユニットより受信された前記サービス登録情報に基づいて、前記端末に報告時間周波数リソース情報を割り当てるように構成される割り当てユニットと、
前記割り当てユニットより割り当てられた前記報告時間周波数リソース情報を前記端末に送信するように構成される送信ユニットと、を含み、
前記サービス登録情報は、サービスタイプとサービス加入情報を含み、
前記受信ユニットはさらに、前記端末が前記報告時間周波数リソース情報に基づいて送信された上りデータパケットを受信するように構成されることを特徴とする、基地局。
【請求項２６】
前記端末と無線接続を確立するように構成される確立ユニットを含み、
前記基地局は能動的に前記無線接続を解放しないことを特徴とする請求項２５に記載の基地局。
【請求項２７】
解放ユニットをさらに含み、
前記受信ユニットはさらに、ネットワーク装置又は前記端末より送信される終了要求を受信するように構成され、
前記解放ユニットは、前記受信ユニットの受信された前記終了要求に基づいて、前記無線接続を解放するように構成されることを特徴とする請求項２６に記載の基地局。
【請求項２８】
前記ネットワーク装置は、無線アクセスネットワーク、ユーザアイデンティティーデータサーバ、認証サーバ、及びＭＴＣサービス加入サーバのいずれか一つであることを特徴とする請求項２７に記載の基地局。
【請求項２９】
前記報告時間周波数リソース情報は、時間周波数リソース位置情報と報告周期を含み、
又は、
前記報告時間周波数リソース情報は、時間周波数リソースシーケンス生成方法と報告周期を含み、
又は、
前記報告時間周波数リソース情報は、時間周波数リソース位置情報と報告回数を含むことを特徴とする請求項２５乃至２８のいずれか１項に記載の基地局。
【請求項３０】
前記報告時間周波数リソース情報は、前記割り当てユニットが他の端末に割り当てる報告時間周波数リソース情報と同じであることを特徴とする請求項２５乃至２９のいずれか１項に記載の基地局。
【請求項３１】
前記送信ユニットはさらに、
前記端末が休止状態から復帰してから、相対時間のオフセットを利用して時間の校正を行うために、前記端末に前記相対時間のオフセットを送信するように構成されることを特徴とする請求項２５乃至３０のいずれか１項に記載の基地局。
【請求項３２】
前記相対時間のオフセットは、システムフレーム番号であることを特徴とする請求項３１に記載の基地局。
【請求項３３】
確立ユニットをさらに含み、
前記割り当てユニットはさらに、前記端末に、長さが予め設定された閾値より小さい唯一の識別子を割り当てるように構成され、
前記割り当てユニットはさらに、前記端末にローカルの短いアドレスを割り当てるように構成され、
前記確立ユニットは、前記識別子と前記ローカルの短いアドレスとの対応関係を確立するように構成され、
前記送信ユニットはさらに、前記識別子を前記端末に送信し、前記ローカルの短いアドレスをネットワーク装置に送信するようにに構成される、
ことを特徴とする請求項２５乃至３２のいずれか１項に記載の基地局。
【請求項３４】
前記上りデータパケットは前記端末の識別子を含み、
前記送信ユニットはさらに、前記識別子を前記ローカルの短いアドレスに置換え、前記置き換えた上りデータパケットを前記ネットワーク装置に転送するように構成される、
ことを特徴とする請求項３３に記載の基地局。
【請求項３５】
前記受信ユニットはさらに、前記ネットワーク装置より送信された下りデータパケットを受信するように構成され、前記下りデータパケットは、前記ローカルの短いアドレスを含み、
前記送信ユニットはさらに、前記下りデータパケット内の前記ローカルの短いアドレスを前記識別子に置換え、前記置き換えた下りデータパケットを前記端末に転送するように構成される、
ことを特徴とする請求項３３に記載の基地局。
【請求項３６】
確定ユニットをさらに含み、
前記受信ユニットはさらに、前記端末より送信された電池容量情報と上り送信パワーレベル情報を受信するように構成され、
前記確定ユニットは、前記電池容量情報と前記上り送信パワーレベル情報に基づいて、前記端末の電池使用状況を確定し、前記基地局の受信パワー損失を計算するように構成される
ことを特徴とする請求項２５乃至３５のいずれか１項に記載の基地局。
【請求項３７】
前記電池容量情報と前記上り送信パワーレベル情報に対する復調が失敗した場合、前記送信ユニットはさらに、前記端末に、前記端末が上り送信パワーを上げるように指示するための命令情報を送信するように構成される、
ことを特徴とする請求項３６に記載の基地局。
【請求項３８】
端末であって、
基地局に端末のアイデンティティーとサービス登録情報を送信するように構成される送信ユニットと、
前記基地局が前記送信ユニットより送信された前記サービス登録情報に基づいて前記端末に割り当てた報告時間周波数リソース情報を受信するように構成される受信ユニットと、を含み、
前記サービス登録情報は、サービスタイプとサービス加入情報を含み、
前記送信ユニットはさらに、前記報告時間周波数リソース情報に基づいて、前記基地局に上りデータパケットを送信するように構成されることを特徴とする、端末。
【請求項３９】
前記受信ユニットはさらに、前記基地局より送信された、長さが予め設定された閾値より小さい識別子を受信するように構成され、
前記上りデータパケットは前記識別子を含むことを特徴とする請求項３８に記載の端末。
【請求項４０】
前記報告時間周波数リソース情報は、時間周波数リソース位置情報と報告周期を含み、
前記送信ユニットは、具体的に、
前記時間周波数リソース位置において、前記報告周期で、前記基地局に周期的に前記上りデータパケットを送信するように構成されることを特徴とする請求項３８又は３９に記載の端末。
【請求項４１】
前記報告時間周波数リソース情報は、時間周波数リソースシーケンス生成方法と報告周期を含み、
前記送信ユニットは、具体的に、
前記時間周波数リソースシーケンス生成方法に基づいて、時間周波数リソースシーケンスを生成し、
前記時間周波数リソースシーケンスにおいて、前記報告周期で、前記基地局に前記上りデータパケットを送信するように構成される、
ことを特徴とする請求項３８又は３９に記載の端末。
【請求項４２】
前記報告時間周波数リソース情報は、時間周波数リソース位置情報と報告回数を含み、
前記送信ユニットは、具体的に、
前記時間周波数リソース位置において、前記基地局に周期的に前記上りデータパケットを送信するように用いられ、送信回数は前記報告回数である、
ことを特徴とする請求項３８又は３９に記載の端末。
【請求項４３】
前記送信ユニットはさらに、
前記基地局が電池容量情報と上り送信パワーレベル情報に基づいて、前記端末の電池使用状況を確定し、前記基地局の受信パワー損失を計算するために、前記基地局に前記端末の前記電池容量情報と前記上り送信パワーレベル情報を送信するように構成される、
ことを特徴とする請求項３８又は４２に記載の端末。
【請求項４４】
前記上りデータパケットを送信した後に、休止状態に入らせるように構成される処理ユニットをさらに含む、
ことを特徴とする請求項３８乃至４３のいずれか１項に記載の端末。
【請求項４５】
前記受信ユニットはさらに、前記休止状態から復帰してから、前記基地局より送信された相対時間のオフセットをリスニングするように構成され、
前記処理ユニットはさらに、記憶されている時間基準及び前記相対時間のオフセットに基づいて、時間の校正を行うように構成される、
ことを特徴とする請求項４４に記載の端末。
【請求項４６】
前記相対時間のオフセットはシステムフレーム番号であることを特徴とする請求項４５に記載の端末。
【請求項４７】
前記基地局と無線接続を確立するように構成される処理ユニット、
をさらに含むことを特徴とする請求項３８乃至４６のいずれか１項に記載の端末。
【請求項４８】
前記送信ユニットはさらに、前記端末の電池電量が予め設定された電量閾値より小さい場合、前記基地局が終了要求に基づいて前記無線接続を解放するために、アラーム情報を送信し、前記基地局に前記終了要求を送信するように構成される、
ことを特徴とする請求項４７に記載の端末。
【発明の詳細な説明】
【関連出願の参照】
【０００１】
本発明は、２０１５年５月２９日に出願された発明名称が「マシン型通信方法、基地局及び端末」で、出願番号が２０１５１０２９２２７７．０である先の出願の優先権を主張し、上記の先行出願の内容は参照として本願に組み込まれる。
【技術分野】
【０００２】
本発明は通信分野に関し、特にマシン型通信方法、基地局及び端末に関する。
【背景技術】
【０００３】
従来の移動通信ネットワークは、主に人間の間の音声通信に関するものであり、マシン型通信（ＭＴＣ：Ｍａｃｈｉｎｅ  Ｔｙｐｅ  Ｃｏｍｍｕｎｉｃａｔｉｏｎ）の導入によって、従来の移動通信ネットワークに大きな影響を及ぼす。そのため、次世代の移動通信ネットワーク（５Ｇとも称する）は、人をサービス対象とする従来の音声データ通信をサポートする以外に、様々な場面でのＭＴＣの応用、例えば、工業、農業、スマート交通、スマート家電、スマートメーター、及び地震津波火災の監視などの各種のスマートの監視制御をさらに含むようになる。
【０００４】
大規模に応用されるＭＴＣが、応用場面において従来の移動通信システムと大きく異なっているため、無線通信技術に新たな要求が求められる。例えば、監視制御センサーに係る設備は、配置する数が多く、多数が電池によって給電され、低コスト低消費電力、長い周期の小さいデータパケットでの伝送、遅延に敏感しないなどの特性がある。しかし、工業生産、車のインターネット（Ｉｎｔｅｒｎｅｔ  ｏｆ  Ｖｅｈｉｃｌｅｓ）及びスマート交通などの場合のマシン型通信は、正常に動作するために、極めて短い遅延、高信頼性及び高可用度が求められている。このような新たな特性は、５Ｇシステムに一連の新しい技術を使用するように求める。
【０００５】
従来、無線技術を用いてデータを伝送するマシン通信端末は、通常、専用の技術又は成熟している２／３／４Ｇ通信モジュールを使用している。専用技術のモジュールを使用して規模の効果と利益は得難い。
【０００６】
一部の技術は４Ｇ移動通信技術に基づいて、例えばマシン通信設備をグループ化してリソースを共有するなどのような改善を試している。但し、このような技術案にはまだ不足があり、例えばフローが複雑で、システム配置の柔軟性を低下させ、一部の端末は、消費電力が増大されることによって電池の寿命を縮めることに引き起こしやすく、インターネットプロトコル（ＩＰ：Ｉｎｔｅｒｎｅｔ  Ｐｒｏｔｏｃｏｌ）と無線システムのリソースを多く占用されるなどの問題がある。
【０００７】
そのため、２／３／４Ｇ移動通信技術は、設計当初に、大規模のマシン型通信を必要の考慮要因としていないため、複雑度と消費電力などの方面においては、大規模のマシン型通信のニーズを満たすことができない。
【発明の概要】
【０００８】
本発明の実施例はマシン型通信方法、基地局及び端末を提供し、マシン型通信の複雑度と消費電力を低減させることができる。
【０００９】
第１様態においては、マシン型通信方法を提供し、
基地局は、端末より送信された端末のアイデンティティーとサービス登録情報を受信することと、
前記基地局は、前記サービス登録情報に基づいて、前記端末に報告時間周波数リソース情報を割り当てることと、
前記基地局は、前記報告時間周波数リソース情報を前記端末に送信することと、
前記基地局は、前記端末が前記報告時間周波数リソース情報に基づいて送信された上りデータパケットを受信することと、
を含み、前記サービス登録情報は、サービスタイプとサービス加入情報を含む。
【００１０】
第２様態においては、マシン型通信方法を提供し、
端末は、基地局に端末のアイデンティティーとサービス登録情報を送信することと、
前記端末は、前記基地局が前記サービス登録情報に基づいて前記端末に割り当てた報告時間周波数リソース情報を受信することと、
前記端末は、前記報告時間周波数リソース情報に基づいて、前記基地局に上りデータパケットを送信することと、
を含み、前記サービス登録情報は、前記端末のサービスタイプとサービス加入情報を含む。
【００１１】
第３様態においては、基地局を提供し、
端末より送信された端末のアイデンティティーとサービス登録情報を受信するように用いられる受信ユニットと、
前記受信ユニットより受信された前記サービス登録情報に基づいて、前記端末に報告時間周波数リソース情報を割り当てるように用いられる割り当てユニットと、
前記割り当てユニットより割り当てられた前記報告時間周波数リソース情報を前記端末に送信するように用いられる送信ユニットと、を含み、
前記サービス登録情報は、サービスタイプとサービス加入情報を含み、
前記受信ユニットはさらに、前記端末が前記報告時間周波数リソース情報に基づいて送信された上りデータパケットを受信するように用いられる。
【００１２】
第４様態において、端末を提供し、
基地局に端末のアイデンティティーとサービス登録情報を送信するように用いられる送信ユニットと、
前記基地局が前記送信ユニットより送信された前記サービス登録情報に基づいて、前記端末に割り当てた報告時間周波数リソース情報を受信するように用いられる受信ユニットと、を含み、
前記サービス登録情報は、サービスタイプとサービス加入情報を含み、
前記送信ユニットはさらに、前記報告時間周波数リソース情報に基づいて、前記基地局に上りデータパケットを送信するように用いられる。
【００１３】
第５様態においては、基地局を提供し、
端末より送信された端末のアイデンティティーとサービス登録情報を受信するように用いられる受信機と、
前記受信機より受信された前記サービス登録情報に基づいて、前記端末に報告時間周波数リソース情報を割り当てるように用いられるプロセッサと、
前記プロセッサにより割り当てられた前記報告時間周波数リソース情報を前記端末に送信するように用いられる送信機と、を含み、
前記サービス登録情報は、サービスタイプとサービス加入情報を含み、
前記受信機はさらに、前記端末が前記報告時間周波数リソース情報に基づいて送信された上りデータパケットを受信するように用いられる。
【００１４】
第６様態においては、端末を提供し、
基地局に端末のアイデンティティーとサービス登録情報を送信するように用いられる送信機と、
前記基地局が前記送信機より送信された、前記サービス登録情報に基づいて前記端末に割り当てた報告時間周波数リソース情報を受信するように用いられる受信機と、を含み、
前記サービス登録情報は、サービスタイプとサービス加入情報を含み、
前記送信機はさらに、前記報告時間周波数リソース情報に基づいて、前記基地局に上りデータパケットを送信するように用いられる。
【００１５】
本発明の実施例において、端末が基地局に上りデータパケットを送信することを保証するために、基地局は端末に報告時間周波数リソース情報を割り当て、このようなスケジューリングは簡単で統一しており、マシン型通信の複雑度と消耗電力を減少することができ、さらに、ＭＴＣシステムの配置コストを削減し、電池給電設備の使用時間を延ばすことができる。
【図面の簡単な説明】
【００１６】
【図１】本発明の一つの実施例におけるマシン型通信方法のフローチャートである。
【図２】本発明の別の実施例におけるマシン型通信方法のフローチャートである。
【図３】本発明の別の実施例におけるマシン型通信方法のフローチャートである。
【図４】本発明の一つの実施例における基地局のブロック図である。
【図５】本発明の別の実施例における基地局のブロック図である。
【図６】本発明の一つの実施例における端末のブロック図である。
【図７】本発明の別の実施例における端末のブロック図である。
【発明を実施するための形態】
【００１７】
より明確に本発明の実施例を説明するために、上記において、実施例または先行技術の説明で必要とする図面を簡単に説明し、明らかに、上記に記述されている図面は、単なる本発明の幾つかの実施例に過ぎず、当業者にとって、創造的な労力を払わない前提で、これらの図面に基づいてその他の図面が得ることができる。
【００１８】
下記において、本発明の実施例の図面を結合し、本発明の実施例の技術案を明確的、欠けずに説明し、当然、説明されている実施例は、本発明の一部の実施例に過ぎず、全ての実施例ではない。本発明の実施例に基づいて、当業者は、創造的な労力を払わない前提で得られた全てのその他の実施例は、本発明の範囲内である。
【００１９】
なお、本発明の実施例において、ＭＴＣはマシンツーマシン（Ｍ２Ｍ：Ｍａｃｈｉｎｅ  ｔｏ  Ｍａｃｈｉｎｅ）通信とも称し、但し、ＭＴＣはマシン間の通信を含むだけではなく、人間とマシンのインタラクション通信も含むことを理解すべきである。
【００２０】
なお、本発明の実施例における基地局は、基地局機能を備える任意の設備であっても良く、例えば、第３世代の移動通信システム（３Ｇ）のＮｏｄｅＢであっても良く、第４世代の移動通信システム（４Ｇ）のロング・ターム・エボリューション（ＬＴＥ：Ｌｏｎｇ  Ｔｅｒｍ  Ｅｖｏｌｕｔｉｏｎ）の進化型基地局（Ｅｖｏｌｕｔｉｏｎａｌ  Ｎｏｄｅ  Ｂ、ｅＮＢ又はｅＮｏｄｅＢ）であっても良く、将来の５Ｇの基地局機能を備えるノード、等々であっても良い。本発明はそれについて限定しない。
【００２１】
また、本発明の実施例における端末は、ＭＴＣ端末と指しており、ＭＴＣ設備とも称し、例えばスマートフォンであっても良く、スマート電気メーターであっても良く、スマートウェアラブルデバイス、等々であっても良い。本発明はそれについて限定しない。
【００２２】
図１は本発明の一つの実施例におけるマシン型通信方法のフローチャートである。図１に基地局１０、端末２０及びネットワーク装置３０を示している。ここで、ネットワーク装置３０は、無線アクセスネットワーク、ユーザアイデンティティーデータサーバ（例えば、ホームロケーションレジスタ（ＨＬＲ：Ｈｏｍｅ  Ｌｏｃａｔｉｏｎ  Ｒｅｇｉｓｔｅｒ））、認証サーバ、及びＭＴＣサービス加入サーバのいずれか一つであっても良い。図１に示されている方法はＳ１０１〜Ｓ１０９を含む。
【００２３】
Ｓ１０１において、基地局１０は、ブロードキャストでセルブロードキャスト情報を送信する。
【００２４】
具体的に、基地局１０は、該セルブロードキャスト情報を周期的にブロードキャストすることができる。具体的に、セルブロードキャスト情報は、セルの基本パラメータを含むことが可能であり、セルの基本パラメータは、セル識別子（ＩＤ）、セル周波数ポイント、セル帯域幅、アンテナ数、セル伝送環境タイプ、セルリソース使用率、前記基地局の送信パワー、及び該セルブロードキャスト情報のブロードキャスト時刻のシステムフレーム番号（ＳＦＮ：Ｓｙｓｔｅｍ  Ｆｒａｍｅ  Ｎｕｍｂｅｒ）のいずれか一つを含むことが可能である。
【００２５】
ここで、セル伝送環境タイプは、室内（ｉｎｄｏｏｒ）、密集都市（ｄｅｎｓｅ  ｕｒｂａｎ）、都市（ｕｒｂａｎ）、郊外（ｓｕｂ−ｕｒｂａｎ）、農村部（ｒｕｒａｌ）の中のひとつであっても良い。
【００２６】
ここで、システムフレームは、時間幅において長さが同じであっても良く、同じではなくても良い。例えば、長さが同じではない場合、第Ｒ−ｉ（ｉ＝１、２、・・・、Ｒ−１）個のシステムフレーム内のシステム情報は、第Ｒ個のシステムフレームの長さを指示するように用いられることが可能である。また、端末の信頼的な受信を保証するために、該情報は、番号がＲ−ｉ〜Ｒ−１であるシステムフレームにおいて、１回〜ｉ−１回にブロードキャストされることが可能である。
【００２７】
選択肢として、セルブロードキャスト情報は複数の重み（重み係数とも称する）を含むことが可能である。ここで、複数の重みと複数の判断準拠と１対１で対応され、判断準拠として、端末２０が登録を行うか否かを判断する。ここで、複数の重みは、基地局１０がＭＴＣサービス特性、システムリソースの使用状況などの要因に基づいて確定されることが可能である。具体的に、重み及び端末２０の登録要否の判断については、後述Ｓ１０３に関する説明を参照することが可能である。
【００２８】
また、セルブロードキャスト情報は、基地局１０がデータを搬送しない専用の周波数で、予め設定された送信パワーより低くないパワーを用いてブロードキャストして送信されることが可能である。ここの専用周波数は、データを搬送しない、低い帯域幅、例えば、現行の２／３／４Ｇシステムに使用されている最低の周波数より低い周波数であっても良い。ここの予め設定された送信パワーは、現行の２／３／４Ｇシステム内のマクロ基地局に使用されている最大の送信パワーであっても良い。このように、深くのカバレッジ（室内の場面を含むことが可能である）を実現することが可能であり、実際のデータ搬送サービスのセル（カバレッジ範囲が小さい）の無線リソースを省くことができ、複数のセルの直接な調整を便利にすることができる。
【００２９】
ここで、セルブロードキャスト情報は、マクロ基地局、又はシステムセンタ／領域スケジューリング器等が、複数の通信基地局を含むエリアにおいて送信されるものであっても良く、これについて本発明は限定しない。
【００３０】
又は、セルブロードキャスト情報は、基地局１０がキャリアにより予め設定されている周波数で、予め設定されている送信パワーを用いて送信されるものであっても良い。例えば、予め設定されている周波数が１５０ＭＨｚであり、予め設定されている送信パワーが２５Ｗである。これについて本発明は限定しない。
【００３１】
このように、基地局１０のセル内に位置する端末は、該セルブロードキャスト情報を受信することが可能であり、ひいては該基地局１０のセル以外の端末も該セルブロードキャスト情報を受信することもできる。具体的に、端末２０は、電源を入れてからセルブロードキャスト情報をサーチし、端末２０は複数の基地局よりそれぞれ送信されたセルブロードキャスト情報を受信することが可能である。さらに、端末２０は受信されたセルブロードキャスト情報に基づいて、後続のメッセージを正しく受信することが可能である。
【００３２】
また、セルブロードキャスト情報は、ポーリング命令の送信位置を含むことができ、このように、端末２０はそれ以降、該送信位置でポーリング命令を受信することができる。
【００３３】
Ｓ１０２において、基地局はポーリング（ｐｏｌｌｉｎｇ）命令を送信する。
【００３４】
具体的に、基地局は、ブロードキャストで、周期的、又は非周期的に該ポーリング命令を送信することができる。
【００３５】
また、ポーリング命令は、基地局１０がセルのリソース使用状況、マシン型通信のサービス要求などの要素に基づいて確定されることができる。ここで、セルリソースの使用状況は、セル負荷、セルアクセスリソースの使用状況等を含むことが可能である。
【００３６】
なお、Ｓ１０１内のセルブロードキャスト情報は、ポーリング命令の送信位置を含むとした場合、Ｓ１０２において、端末２０は、該送信位置で該ポーリング命令を受信する。
【００３７】
ここで、ポーリング命令は、複数のアクセスリソースを指示することができ、未登録の端末に使用されるように用いられる。ここで、アクセスリソースは、登録時間周波数リソース又は登録ウィンドウと称することができ、基地局１０によって割り当てられた、未登録の端末に使用されるように用いられることができる登録ウィンドウと指している。また、登録ウィンドウの位置は、即ちアクセスリソースの位置である。
【００３８】
登録ウィンドウの具体的な位置と、登録ウィンドウにおいて端末に提供することができる登録のための無線リソースの数及びタイプは、ポーリング命令によって指示される。ここで、アクセスリソースは、スロット（ｓｌｏｔ）とも称し、基地局１０は、端末と基地局との距離の遠さ、無線信号伝送経路損失等に基づいて、大きさの異なるスロットを割り当てることができる。前記スロットの大きさは、時間及び／又は周波数で調整されることが可能である。
【００３９】
前記複数のアクセスリソース内の各アクセスリソースは、位置情報と番号情報を含むことが可能である。具体的に、基地局１０は、タイプに基づいて、アクセスリソースに番号を付けることができる。例えば、大きいほうを長いアクセスリソース（ｌｏｎｇ  ｓｌｏｔとも称する）と称し、普通のアクセスリソースを普通のアクセスリソース（ｎｏｒｍａｌ  ｓｌｏｔとも称す）と称する。即ち、前記複数のアクセスリソースは、複数の長いアクセスリソースと複数の普通のアクセスリソースを含む。ポーリング命令に指示されたアクセスリソースは、ｌｏｎｇ  ｓｌｏｔ：１・・・Ｌ、ｎｏｒｍａｌ  ｓｌｏｔ：１・・・Ｎという方式に従って番号を付けることができる。ここで、Ｌは長いアクセスリソースの数とし、Ｎは普通のアクセスリソースの数とする。
【００４０】
また、アクセスリソースの位置情報と番号情報とは対応関係を備え、例えば、位置と番号とは、例えば、同じ時点上で周波数が隣接又は間隔したり、同じ周波数上で時間が連続又は間隔したり、時間／周波数はいわゆるｓｔａｇｇｅｒｅｄ方式などのような２次元分布になったりのような方式で関連付けられる。このように、位置情報と番号情報に基づいて時間ドメインと周波数ドメインの情報を確定することができる。
【００４１】
さらに、ポーリング命令は前回ポーリング内のアクセスリソースの数とリソースの使用状況をさらに指示することもできる。ここで、リソースの使用状況は、フル使用（ＦＵＬＬ）、高度使用（ＨＩＧＨ）、中度使用（ＭＥＤＩＵＭ）と低度使用（ＬＯＷ）の中のひとつであっても良く、使用したリソースの百分率又は残リソースの百分率であっても良い。
【００４２】
また、ポーリング命令はフィードバックリソースをさらに指示しても良く、登録を行わない端末がフィードバックすることに用いられる。
【００４３】
選択肢としては、ポーリング命令は、専用のアクセスリソースを指示しても良く、サービス優先順位の高い端末が該専用アクセスリソースを使用してアクセスを行うように用いられる。
【００４４】
Ｓ１０３において、端末２０は、前記ポーリング命令に基づいて登録を行う。
【００４５】
ポーリング命令が専用アクセスリソースを指示しており、且つ端末２０が高サービス優先順位（端末のサービス加入情報によって決定される）の端末である場合、端末２０は、該専用アクセスリソースを直接に使用して登録を行う。
【００４６】
例を上げて説明すると、Ｓ１０２において、端末２０が複数の基地局より送信されたポーリング命令を受信した場合、端末２０は、複数の基地局から一つの基地局をまず選択して登録を行う。仮に選択された一つの基地局を基地局１０とする。
【００４７】
端末２０は、Ｓ１０１において複数の基地局より送信された複数のセルブロードキャスト情報を受信し、且つＳ１０２において複数基地局より送信された複数のポーリング命令を受信した場合、Ｓ１０３において、端末２０は、上記情報に基づいて複数基地局の中の各基地局との間の伝送経路損失を計算し、さらに前記複数の基地局の中の各基地局との間の伝送経路損失に基づいて、前記複数の基地局から一つの基地局を選択して登録を行う。
【００４８】
ここで、端末２０と基地局１０との間の伝送損失の計算方法を下記のように説明する。
【００４９】
仮に、端末２０と基地局１０は同じ周波数、例えば、時分割複信（ＴＤＤ：Ｔｉｍｅ  Ｄｉｖｉｓｉｏｎ  Ｄｕｐｌｅｘ）システムを使用するとする。
【００５０】
ここで、Ｓ１０１において、基地局１０より送信されたセルブロードキャスト情報は、下り送信パワーの指示情報を含む。例えば、下り送信パワーはセルのトータルの送信パワーと、ある時間、周波数における既知内容と時間長さの序列（例えば共通の基準信号又はｂｅａｃｏｎ信号）の送信パワーである。注意すべきこととしては、本発明の実施例において、地理的に隣接している異なる基地局は、異なる時間、周波数を使用して各自の序列を送信し、これによって、異なる基地局間の干渉を低減することができる。言い換えれば、異なる基地局は、異なる序列を使用する。
【００５１】
そして、端末２０は、基地局１０からのセルブロードキャスト情報を受信する時に、受信パワーの推定を行うことができ、それによって端末２０が前記セルブロードキャスト情報を受信する実際の受信パワーを確定する。そのため、端末２０は前記下り送信パワー、前記実際の受信パワーに基づいて、端末２０と基地局１０との間の伝送経路損失を計算することができる。具体的に、端末２０は、前記下り送信パワーと前記実際の受信パワーとの差に基づいて計算することができる。
【００５２】
伝送経路損失の計算の正確性を高めるため、端末２０はセルブロードキャスト情報を複数回に受信することができ、そして複数回数に推定された伝送経路損失を平滑化する。又は、端末２０は、受信された基地局１０と隣接した別の基地局からの下り送信パワーの指示情報を用いて、計算された伝送経路損失に対して干渉除去を行うことができ、さらに正確性を高めることができる。
【００５３】
その後、端末２０は、基地局１０との間の伝送経路損失に基づいて、使用しようとするアクセスリソースのタイプを確定することができる。具体的に、該伝送経路損失が予め設定された損失閾値より大きい場合、使用しようとするアクセスリソースのタイプを長いアクセスリソースと確定し、そうではない場合、普通のアクセスリソースとする。
【００５４】
使用しようとするアクセスリソースのタイプが長いアクセスリソースと確定された場合、端末２０は、その後、複数の長いアクセスリソース（上記に記載されているように、Ｌ個である）から一つのアクセスリソースを選択する。使用しようとするアクセスリソースのタイプは普通のアクセスリソースと確定された場合、端末２０は、その後、複数の普通のアクセスリソース（上記に記載されているように、Ｎ個である）から一つのアクセスリソースを選択する。仮に選択された一つのアクセスリソースを第１アクセスリソースとした場合、これから端末２０は該第１アクセスリソースで登録を行うことができる。
【００５５】
一例として、端末２０は、前記端末の識別子、セルブロードキャスト情報、及び前記端末の受信された前記ポーリング命令のタイムスタンプに基づいて、前記複数の長いアクセスリソース又は前記複数の普通のアクセスリソースから前記第１アクセスリソースを選択することができる。例を上げて説明すると、端末２０は、前記端末のＩＤ、セルブロードキャスト情報、及び前記端末の受信された前記ポーリング命令のタイムスタンプに基づいて、ハッシング関数の方法を用いて特性シーケンスを生成し、前記特性シーケンスに基づいて、使用しようとするアクセスリソースの番号情報と位置情報を確定することができる。前記使用しようとするアクセスリソースの番号情報と位置情報に基づいて、前記第１アクセスリソースを確定する。
【００５６】
ここで、端末のＩＤは国際移動体装置識別番号（ＩＭＥＩ：Ｉｎｔｅｒｎａｔｉｏｎａｌ  Ｍｏｂｉｌｅ  Ｅｑｕｉｐｍｅｎｔ  Ｉｄｅｎｔｉｔｙ）であっても良い。ここで、ハッシング関数はハッシュ（ＨＡＳＨ）関数、例えばＭＤ５であっても良い。
【００５７】
選択肢としては、ハッシング関数の方法を用いて後続処理を経て特性シーケンスを生成することができる。ここで、後続処理は循環桁シフト、ランダム桁シフト、その他の序列との排他的論理和（ＸＯＲ）などであっても良い。
【００５８】
選択肢としては、上記に確定されたタイプが長いアクセスリソースである場合、端末２０は前記特性シーケンスの二進法の形式の最後の桁の数値に基づいて、前記使用しようとするアクセスリソースの番号情報と位置情報を確定することができる。ここで、切り捨てを示し、前記長いアクセスリソースの数を示す。例えばＬ＝１６である場合、最後の４桁を取って「１１１１ｂ」になり、Ｌ＝１４である場合、「１１０１ｂ」になる。上記に確定されたタイプが普通のアクセスリソースである場合、端末２０は、前記特性シーケンスの二進法の形式の最後の桁の数値に基づいて、前記使用しようとするアクセスリソースの番号情報と位置情報を確定することができる。ここで、切り捨てを示し、前記普通のアクセスリソースの数を示す。
【００５９】
このように、本発明の実施例において、全ての未登録端末の選択されたアクセスリソースは、時間と周波数において唯一のであることを確保することができ、異なる端末の間の登録において衝突の確率が非常に低い。
【００６０】
選択肢としては、一つの実施例として、Ｓ１０２の後、端末２０はまず登録を行うか否かを判断する。
【００６１】
具体的に、端末２０は、Ｓ１０２におけるポーリング命令の位置づけられているシステムフレーム番号、端末の電源オンの時のサーチしたシステムフレーム番号、Ｓ１０２におけるポーリング命令に指示されているアクセスリソースの数、Ｓ１０２の前の前回ポーリングのリソースの使用状況などに基づいて、登録の要否を判断する。
【００６２】
ここで、端末２０の電源オンの時のサーチしたシステムフレーム番号は、セルブロードキャスト情報に含まれてもよい。
【００６３】
本発明の実施例において、端末２０は複数の判断準拠を設定することが可能であり、各判断準拠に対応されている値を計算し、判断準拠の特性値と称する。その後、端末２０は、個々の判断準拠の特性値に基づいて判断特性値を計算することができる。それによって、端末２０は、判断特性値の大きさに基づいて、今回のポーリングにおいて登録を行うか否かを判断する。ここで、登録を行うことは、アクセスの要求を行うことと理解することが可能である。
【００６４】
具体的に、判断特性値が第１閾値より大きい場合、今回のポーリングで登録を行うことを確定する。判断特性値が第２閾値より小さい場合、今回のポーリングで登録を行わないことを確定する。ここで、第１閾値は第２閾値より大きい。第１閾値と第２閾値は、基地局１０が現時点のセル状態に基づいて確定された、ポーリング命令で端末２０に送信されているものであっても良い。基地局１０がポーリング命令で第１閾値と第２閾値を送信していない場合、端末２０は、セルブロードキャスト情報とセルリソースの使用状況などに基づいて、自分で計算して第１閾値を第２閾値を確定することかできる。
【００６５】
選択肢としては、Ｓ２０１における前記ポーリング命令が位置するシステムフレーム番号と、前記端末の電源オンの時のサーチされたシステムフレーム番号との差の絶対値を第１判断準拠の特性値とすることができる。Ｓ１０２におけるポーリング命令により指示されたアクセスリソースの数を第２判断準拠の特性値とすることができる。Ｓ１０２の前の前回のポーリングのリソースのの使用比例の逆数を第３判断準拠の特性値とすることができる。
【００６６】
また、端末２０に、端末２０の登録を遅らせることを示すためのカウンターで示す回数を記憶することができる。ここで、登録を遅らせる回数（カウンターの値）を第４判断準拠の特性値とすることができる。
【００６７】
また、前記ポーリング命令が位置するシステムフレーム番号と、前記端末の電源オンの時のサーチされたシステムフレーム番号との差の絶対値が大きいほど、端末２０の登録できていない時間が長いと示し、そして、端末２０の今回のポーリングでの登録の優先順位は高い。登録を遅らせる回数が多いほど、カウンターの値が大きく、端末２０の登録のできていないポーリングの回数が多いと示し、そして、端末２０の今回のポーリングでの登録の優先順位は高い。
【００６８】
なお、Ｓ１０２におけるポーリング命令により指示されたアクセスリソースの数が多いほど、又は、Ｓ１０２の前の前回のポーリングのリソースの使用比例が小さいほど、今回のポーリングで使用可能なリソースは多いと示し、そして、端末２０の今回のポーリングでの登録の成功率が高い。
【００６９】
従って、端末２０は個々の判断準拠の特性値の和を判断特性値とすることができ、又は、端末２０は個々の判断準拠の特性値の重み付和を判断特性値とすることができる。
【００７０】
ここで、個々の判断準拠の特性値の重み（重み係数とも称する）は、基地局１０がセルブロードキャスト情報で端末２０に送信されたものであっても良く、具体的に、基地局１０は、ＭＴＣのサービス特性、セルのリソース使用率などの要因に基づいて、重みに対して調整を行うことができる（言い換えれば、異なるセルブロードキャスト情報に含まれる重みが異なっても良い）、これによって、システムのサービス要求を満たし、端末アクセスの効率を向上させることができる。又は、セルブロードキャスト情報に重みが含まれていない場合、重み（重み係数とも称する）は、端末２０がＭＴＣのサービス特性などの要因に基づいて確定するものであっても良く、これについて限定しない。
【００７１】
さらに、判断特性値が第１閾値より大きい場合、今回のポーリングで登録を行うことを確定する。端末２０が登録を決定してから、上記の方法を用いて登録を行うことができる。登録が成功してから、カウンター（登録の遅らせる回数）をゼロに戻すことができる。選択肢としては、端末２０は、登録が成功してから、登録時の個々の判断準拠の特徴値を基地局１０に送信することができる。
【００７２】
判断特性値が第２閾値より小さい場合、今回のポーリングで登録を行わないことを確定する。その後、端末２０はカウンター（登録の遅らせる回数）を更新することが可能であり、即ち、カウンターに１を足す。端末２０は、個々の判断準拠の特性値を基地局１０に送信しても良い。ここで、端末２０の基地局１０に送信した第４判断準拠の特性値は、更新後のカウンターの値と指している。
【００７３】
例を上げて説明すると、端末２０は、計算された基地局１０との間の伝送経路損失に基づいて、ポーリング命令により指示された複数のアクセスリソースから、一つのアクセスリソース（仮に第２アクセスリソースとする）を選択することができ、基地局１０に端末２０の今回のポーリングでの登録しない決定を知らせるために、端末２０は第２アクセスリソースでフィードバックメッセージを基地局１０に送信する。ここで、フィードバックメッセージは、第２アクセスリソースの特定シンボル（Ｓｙｍｂｏｌ）で送信することができ、該フィードバックメッセージは特定の信号、例えば「１」又はその他の短い序列であっても良い。このように、リソースを省くことができ、フィードバックの正確性を高め、後続の基地局の処理を簡易化することができる。
【００７４】
例を上げて説明すると、Ｓ１０２におけるポーリング命令がフィードバックリソースも指示している場合、端末２０が登録しないことを決定する時に、フィードバックリソースで基地局１０にフィードバックメッセージを送信することができ、ここで、フィードバックメッセージは、端末２０の登録しない指示情報を含むことができる。このように、後続に、基地局１０は、フィードバックメッセージに基づいて、ネットワークの最適化を行うことができ、次のポーリングにおける端末２０の登録の成功率を向上させることができる。
【００７５】
例を上げて説明すると、端末２０は、複数のアクセスリソースから一つのアクセスリソースを選択することができ、仮に第３アクセスリソースとする。端末２０は、該第３アクセスリソースの先端の時間帯を取り置きしてから、該取り置きされた時間帯でリスニングを行い、端末２０が該取り置きされた時間帯に特性シーケンスがあることを発見した場合、端末２０は、登録を遅らせることを決定し、そして、端末２０は基地局１０にフィードバックメッセージを送信することができる。ここで、該フィードバックメッセージは、端末２０の登録を遅らせる指示情報を含む。また、取り置きされた時間帯でリスニングされた特性シーケンスは、その他の登録済みのその他の端末より送信されたものであり、即ち、端末２０は、今回のポーリングで登録しないことを決定することによって、その他の端末との、該第３アクセスリソース上の衝突を避けることができる。
【００７６】
そして、基地局１０は、フィードバックメッセージを受信してから、フィードバックメッセージに基づいて、次の処理を行うことができる。例えば、基地局１０は、複数の端末から送信された複数のフィードバックメッセージを受信する可能性があり、基地局１０は、複数のフィードバックメッセージ内の信号の分布とパワーによって、「アクセスキャンセル」メッセージが送信した端末の数を推定することができ、ＭＴＣサービス要求を満たす前提で、できるだけシステム効率を向上させるために、現時点のセル無線リソースの割り当て状況等の情報を考慮し、次のポーリングの時間と割り当てるアクセスリソースを確定する。言い換えれば、基地局１０は、フィードバックメッセージに基づいて、次の送信しようとするポーリング命令により指示されるアクセスリソースの情報を調整することができる。
【００７７】
また、端末２０の基地局１０に送信されるフィードバックメッセージは、端末２０の登録を行わない理由をさらに含むことができる。該理由が現時点のセルの残り無線リソース不足で、未登録端末の要求を満たさないと指示された場合、基地局１０は、フィードバックメッセージを受信してから、キャリアが容量拡張などの後続措置を取るために、ネットワーク及びＭＴＣサーバに報告することできる。言い換えれば、前記基地局に対して後続の容量拡張を実施するために、基地局１０は、ネットワーク装置にアラーム情報を送信することができる。
【００７８】
なお、図１に示されている実施例において、端末２０の登録せず、基地局１０のフィードバックメッセージの受信などのフローを示していない。図１に示されている実施例は、仮に端末２０が登録を行うフローである。
【００７９】
Ｓ１０４において、端末２０は登録情報を基地局１０に送信する。
【００８０】
一例として、端末２０は、上記の計算された基地局１０との間の伝送経路損失、及びセルブロードキャスト情報内のセル伝送環境タイプに基づいて、端末２０と基地局１０との距離を推定することができ、さらに端末２０の該登録情報を送信するための時間アドバンスを計算することができる。そして、Ｓ１０４において、端末２０は、該時間アドバンスに基づいて、登録情報を送信する。
【００８１】
別の一例として、端末２０は、上記の計算された基地局１０との間の伝送経路損失、及び報告メッセージの変調とエンコーディング方式に基づいて、基地局１０が正確的に報告情報を復調することが確保できる送信パワーを推定し、その上、適切に余裕量を増やすことができ、上り送信パワーをとして送信する。
【００８２】
上記の二つの例を結合し、端末２０は、該上り送信パワーを用いて、該時間アドバンスを利用し、登録情報を基地局１０に送信することができる。
【００８３】
選択肢としては、Ｓ１０４の後に、端末２０が予め設定された期間内で基地局１０からの応答メッセージが受信されていない場合、端末２０は、再度該登録情報を送信する。ここで、端末２０は、特定の時間で該登録情報を再送信することができる。ここで、応答メッセージは、ＡＣＫ又はＮＡＣＫであっても良い。
【００８４】
選択肢としては、最大の再送信の回数に達しても、基地局１０からの応答メッセージが受信されていない場合、端末２０は休止状態に入る。ここで、最大の再送信の回数は、例えば２５回のような予め設定されたものである。
【００８５】
ここで、登録情報は、端末のＩＤと端末のタイプであっても良い。例えば、端末のＩＤはＩＭＥＩであっても良い。例えば、端末のタイプは、端末のレート情報、端末の送信パワー情報等を含むことができる。また、端末のタイプは端末の能力、例えば、端末の遅延要件情報、端末の省エネ情報等をさらに含むことができる。
【００８６】
Ｓ１０５において、端末２０とネットワーク装置３０は認証検証を行う。
【００８７】
具体的に、端末２０が初期登録を完了してから、端末２０が端末のアイデンティティーとサービス登録情報を報告するように要求するために、ネットワーク装置３０は、基地局１０を介して、端末２０に対する認証指示情報を端末２０に送信することができる。ここで、端末のアイデンティティーは国際携帯機器加入者識別情報（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ）であっても良い。その後、端末２０は、前記端末のアイデンティティーと前記サービス登録情報を基地局１０に送信し、認証検証を完了させるために、基地局１０は前記端末のアイデンティティーと前記サービス登録情報をネットワーク装置３０に転送する。ここで、前記サービス登録情報は、サービスタイプとサービス加入情報を含むことができる。
【００８８】
また、端末２０は、端末２０の電池容量情報と端末２０の上り送信パワーのレベル情報を基地局１０にさらに送信することができる。そして、基地局１０は、前記電池容量情報と前記上り送信パワーのレベル情報に基づいて、端末２０の電池使用状況を確定し、基地局１０の受信パワー損失を計算することができる。一方、基地局１０が前記電池容量情報と前記上り送信パワーのレベル情報に対する復調が失敗した場合、基地局１０は、端末２０に命令情報を送信することができる。前記命令情報は、端末２０が前記端末の上り送信パワーを引き上げることを指示するように用いられる。
【００８９】
Ｓ１０６において、基地局１０は、端末２０に報告時間周波数リソースを割り当てる。
【００９０】
認証検証が完成した後に、基地局１０は、端末２０のサービス登録情報に基づいて、端末２０に報告の方式を指定することができる。該報告の方式は、周期的、又は非周期的であっても良い（ここで非周期的とは、設定され、又はスケジューリングに基づくものとも称する）。
【００９１】
ここで、報告の方式は、報告時間周波数リソース情報を含む。これによって、後続に、端末２０は該報告時間周波数リソース情報に基づいて、データを報告することができる。
【００９２】
周期の方式としては、報告時間周波数リソース情報は、時間周波数リソース位置情報と報告周期を含むことができる。又は、周期的の方式としては、報告時間周波数リソース情報は、時間周波数リソースシーケンス生成方法と報告周期を含む。例えば、時間周波数リソースシーケンス生成方法は、シード値によって、２次元の時間周波数の位置序列を生成することができる。
【００９３】
具体的に、基地局１０は、ある準拠を用いて、あるアルゴリズムを経て、時間周波数リソース位置情報、又は時間周波数リソースシーケンス生成方法を確定することができる。ここで、用いられる準拠は、報告のデータに占用される時間周波数リソースの位置であっても良く、例えば、現在のセルリソースの割り当て状況、セル情報、端末のローカルＩＤ、又は端末の初回目のシステム同期の時刻（タイムスタンプ）、又は上記の幾つかの結合等々である。ここで、アルゴリズムは、ｈａｓｈ関数又はシーケンス関数であっても良い。
【００９４】
具体的に、報告の周期は、固定の時間間隔であっても良く、該間隔は、マシン型通信のサービスのニーズに基づいて確定することができ、例えば何秒であっても良く、何日であっても良い。
【００９５】
非周期の方式としては、報告時間周波数リソース情報は、時間周波数リソース位置情報と報告回数を含むことができる。ここで、仮に報告回数をＫとする。そして、Ｋは任意の正の整数であっても良い。例えば、Ｋ＝１又はＫ＝１０である。言い換えれば、基地局１０は、端末２０に、次の、または次のＫ回の報告に使用される時間周波数リソース情報を知らせる。
【００９６】
具体的に、基地局１０は、端末２０に唯一のの報告時間周波数リソース情報を割り当てることができる。言い換えれば、基地局１０の異なる端末に割り当てられた時間周波数リソース位置情報は異なるものである。又は、基地局１０は、空間分離などの特性を利用し、端末に対する透過的なマルチユーザ多入力多出力（Ｍｕｌｔｉ−Ｕｓｅｒ  Ｍｕｌｔｉ−Ｉｎｐｕｔ  Ｍｕｌｔｉ−Ｏｕｔｐｕｔ、ＭＵ  ＭＩＭＯ）の方式を用いて、複数の端末に同一の報告時間周波数リソース情報を割り当てることができる。言い換えれば、基地局１０の端末２０に割り当てられる報告時間周波数リソース情報は、基地局１０の他の端末に割り当てられる報告時間周波数リソース情報と同じになっても良い。このように、システムの容量を高めることができ、配置位置の固定であるＭＴＣシステムにとって、ペアリングに適する複数のＭＴＣ端末を見つけ出すことは容易であり、効果もより向上される。
【００９７】
選択肢としては、別の一例として、基地局１０は、その他の複数の基地局により計算された、端末２０に対する複数の受信パワー損失を取得することができる。基地局１０は、基地局１０の受信パワー損失と前記複数の受信パワー損失、及び基地局１０とその他の複数の基地局の所在の区域の伝送特性に基づいて、端末２０の位置を確定することができ、さらに、該端末２０の位置に基づいて、端末２０に報告時間周波数リソース情報を割り当てる。
【００９８】
ここで、基地局１０は、端末２０と各基地局との間の距離を計算することができ、そして端末２０の位置を確定する。ここで、区域の伝送特性は、デジタル地図、及び／又はセルの所在地の伝送モデルを含むことができる。
【００９９】
Ｓ１０７において、基地局１０は、報告時間周波数リソース情報を端末２０に送信する。
【０１００】
Ｓ１０７の前に、基地局１０は、端末２０のために無線接続を確立すうることができる。ここの無線接続は、無線リソース接続（ＲＲＣ：Ｒａｄｉｏ  Ｒｅｓｏｕｒｃｅ  Ｃｏｎｎｅｃｔｉｏｎ）であっても良く、端末２０が接続（ＲＲＣ＿ＣＯＮＮＥＣＴＥＤ）状態にする。
【０１０１】
なお、本発明の実施例において、基地局１０は、該無線接続を能動的に解放しない。言い換えれば、該無線接続を確立してから、端末２０が長時間の休止状態に入っても、基地局１０は該無線接続を解放せず、このように、大量のＭＴＣ端末の接続状態の転換による激しいシグナリングのオーバーヘッドを避けることができる。
【０１０２】
但し、後続のデータ伝送の完了後に、基地局１０は、ネットワーク装置３０又は端末２０により送信された終了要求を受信することができ、該終了要求に基づいて該無線接続を解放する。ここで、本発明の実施例においては、ネットワーク装置３０又は端末２０より送信された終了要求の理由について限定しない。例えば、ネットワーク装置３０は、ＭＴＣサービスリース契約が時間切り又は料金未払いの時に、基地局１０に終了要求を送信する。例えば、端末２０は、電池電量が予め設定された電量閾値より小さい場合、アラーム情報を送信して基地局１０に終了要求を送信する。ここで、予め設定された電量閾値は、端末２０の電池容量の５％又は３％であっても良い。
【０１０３】
選択肢としては、一例として、Ｓ１０７の前に、基地局１０は、端末２０に唯一の識別子を割り当てることができ、該識別子を、Ｓ１０７の前、又はその後、又はＳ１０７と同時に、端末２０に送信する。ここで、該識別子の長さは予め設定された閾値より小さく、例えば、該識別子の長さが端末ＩＤの長さより小さい。
【０１０４】
また、この時の基地局１０はローカルゲートウェイ（ｇａｔｅｗａｙ）の役割を担っている。具体的に、基地局１０は、端末２０のＩＤの一部のキャラクタを該唯一の識別子とすることができ、又は基地局１０は、端末２０のＩＤをｈａｓｈ関数によって短いキャラクタを生成して該唯一の識別子とすることができる。例えば１６ｂｉｔの識別子が６５５３５個の端末を表現することができる。
【０１０５】
その後、基地局１０は、該唯一の識別子を用いて、端末２０に対してアドレスのエンコーディングを行い、端末２０へのページングにおいて、端末２０のＩＤの代わりにずっと該唯一の識別子を使用する。このように、本実施例において、長さの短い識別子を用いて長さの長いＩＤの代わりにすることによって、伝送リソースを省くことができ、さらに端末２０の電池消耗速度を低減することができる。
【０１０６】
また、ＩＰｖ４パケットヘッダーの長さは２４バイトであり、ＲＯＨＣなどのヘッダー圧縮アルゴリズムを使用するとしても、極めて少ないデータ量を報告するＭＴＣの応用にとって、非常に大きいオーバーヘッドであり、設備電池の寿命がひどく短縮される恐れがある。そのため、Ｓ１０７の前に、基地局１０は、端末２０にローカルの短いアドレスを割り当てることでき、該ローカルの短いアドレスをネットワーク装置３０に送信することができる。
【０１０７】
なお、本発明の実施例におけるローカルの短いアドレスは、ＩＰアドレスの形式、例えば、１０．ｘ．ｘ．ｘであっても良い。又は、本発明の実施例におけるローカルの短いアドレスは、ＩＤの形式であっても良く、ここでＩＤの形式のローカルの短いアドレスは、基地局の容量に基づいて設定された、端末のＩＤ（例えばＩＭＥＩ）よりはるかに短い数値であっても良く、例えば、１２ビットの二進法数値によって指示される０〜４０９５の番号であっても良い。又は、本発明の実施例におけるローカルの短いアドレスはその他の形式であっても良く、これについて限定しない。
【０１０８】
また、基地局１０は、識別子とローカルの短いアドレスとの対応関係を確立する。そのため、後続のデータ伝送において、基地局１０はアドレスの翻訳の役割を担うことになる。
【０１０９】
具体的に、基地局１０は、端末２０より送信された上りデータパケットを受信し、該上りデータパケットは識別子を含む。基地局１０は該識別子を前記ローカルの短いアドレスに置換え、そしてからネットワーク装置３０に送信する。言い換えれば、基地局１０は、端末２０のネットワーク装置３０に送信するデータパケットに、識別子に対応するローカルの短いアドレスを追加し、該ローカルの短いアドレスをデータパケットの送信元のアドレスとする。
【０１１０】
基地局１０は、ネットワーク装置３０より送信された下りデータパケットを受信し、該下りデータパケットは、端末への割り当てられているローカルの短いアドレスを含む。基地局１０は、該前記ローカルの短いアドレスを識別子に置換え、そしてから端末２０に送信する。言い換えれば、基地局１０は、ネットワーク装置３０から端末２０に送信されるデータパケットを分解し、データパケット内のペイロード（ｐａｙｌｏａｄ）部分に識別子を追加してから端末２０に送信する。
【０１１１】
又は、もう一つの実施例として、端末２０と基地局１０との間は、端末２０のローカルＩＰアドレスによって通信することができ、基地局１０とネットワーク装置３０との間は、ローカルの短いアドレスによって通信することができる。そのため、基地局１０は、端末２０のローカルＩＰアドレスと前記ローカルの短いアドレスとの対応関係を確立する。また、後続のデータ伝送において、基地局１０は、端末２０のローカルＩＰアドレスと前記ローカルの短いアドレスとの二つのアドレスの翻訳の役割を担っている。
【０１１２】
Ｓ１０８において、端末２０は報告時間周波数リソースを確定する。
【０１１３】
Ｓ１０７における報告時間周波数リソース情報は、時間周波数リソース位置情報と報告周期を含み、それによって、端末２０は、時間周波数リソース位置情報に基づいて報告時間周波数リソースを確定することができる。
【０１１４】
Ｓ１０７における報告時間周波数リソース情報が、時間周波数リソースシーケンス生成方法と報告周期を含むとした場合、端末２０は、時間周波数リソースシーケンス生成方法に基づいて、時間周波数リソースシーケンスを生成することができ、該時間周波数リソースシーケンスから報告時間周波数リソースを選択する。
【０１１５】
Ｓ１０７における報告時間周波数リソース情報が、時間周波数リソース位置情報と報告回数を含むとした場合、端末２０は、時間周波数リソース位置情報に基づいて、報告時間周波数リソースを確定することできる。
【０１１６】
Ｓ１０９において、端末２０は基地局に上りデータパケットを送信する。
【０１１７】
具体的に、端末２０は、Ｓ１０８によって確定された報告時間周波数リソースに基づいて、上りデータパケットを送信する。
【０１１８】
Ｓ１０７における報告時間周波数リソース情報が、時間周波数リソース位置情報と報告周期を含む場合、端末２０は、前記時間周波数リソース位置において、前記報告周期で、基地局１０に周期的に前記上りデータパケットを送信することができる。
【０１１９】
Ｓ１０７における報告時間周波数リソース情報が、時間周波数リソースシーケンス生成方法と報告周期を含む場合、端末２０は、前記時間周波数リソースシーケンス生成方法に基づいて、時間周波数リソースシーケンスを生成することができる。前記時間周波数リソースシーケンスにおいて、前記報告周期で、基地局１０に前記上りデータパケットを送信する。
【０１２０】
Ｓ１０７における報告時間周波数リソース情報が、時間周波数リソース位置情報と報告回数を含むとした場合、端末２０は、前記時間周波数リソース位置において、基地局１０に周期的に前記上りデータパケットを送信することができ、送信回数は前記報告回数である。
【０１２１】
また、端末２０は、イベントのトリガーに基づいて、基地局に上りデータパケットを送信することもできる。ここで、イベントのトリガーに基づく報告の優先順位は、上記に記載されている報告時間周波数リソース情報の報告より高くにしても良い。なお、端末２０にイベントのトリガーに基づく報告がより高い優先順位を備えることを知らせるために、基地局１０は、上記のセルブロードキャスト情報又はポーリング命令の中に優先順位命令を含ませることができる。それに応じて、端末２０は、基地局１０に送信するメッセージに優先順位の指示情報を含ませることもできる。これによって、基地局１０は、優先順位の高いメッセージを受信した時に、迅速に処理して応答することができる。
【０１２２】
例を上げて説明すると、イベントのトリガーに基づく報告は、運動感知センサーで感知された運動状態の物体、又は危険化学製品センサーで感知された泄漏等々であっても良い。
【０１２３】
なお、Ｓ１０９において、報告時間周波数リソースが不足である場合、報告時間周波数リソースは、上りデータパケットをベアラすることができなくなり、基地局１０が該端末２０に適切な報告時間周波数リソースを改めて割り当てるために、端末２０は、基地局１０にスケジューリング要求を送信することができる。
【０１２４】
選択肢としては、本発明の実施例において、Ｓ１０９の後に、端末２０は、休止状態に入ることができる。即ち、端末２０は、上りデータパケットの報告の後に、次のスケジューリング時間まで、休止状態に入ることができ、これによって省エネにすることができ、具体的に端末２０の電量を省くことができる。
【０１２５】
但し、端末２０のローカルのクロックソースの精度は通常低く、それに対して端末２０の休止時間が通常長く、例えば何日もあるため、該端末２０は、休止状態から復帰してから、まず時間の校正を行う必要がある。
【０１２６】
具体的に、基地局１０は、ローカルにおいて相対時間のオフセットを維持することができ、基地局１０は、該相対時間のオフセットをブロードキャストで送信することができる。例えば、周期的又は定時的に送信することができる。ここで、相対時間のオフセットは、システムフレーム番号（ＳＦＮ）である。また、ここの相対時間のオフセットは、絶対時間ではない。
【０１２７】
端末２０は、休止状態から復帰してから、基地局１０より送信される相対時間のオフセットをリスニングし、記憶されている時間基準及び相対時間のオフセットに基づいて、時間の校正を行うことができる。
【０１２８】
例を上げて説明すると、端末２０は、報告の時刻の一つ又は幾つかのＳＦＮ周期前に復帰することが可能であり、ＳＦＮ情報をリスニングしてから、時間のオフセットを確定して時間の校正を行うために、この前の、該端末２０の登録時に、又は基地局１０の時間同期を行った時に、保存された時間基準と比較する。ここで、時間基準は、受信されたＳＦＮよりｘミリ秒のオフセットがあっても良い。基地局１０としては、基地局１０は、該相対時間のオフセット（例えば、システムフレーム番号）だけを維持すれば良く、基地局１０は、全地球測位システム（ＧＰＳ：Ｇｌｏｂａｌ  Ｐｏｓｉｔｉｏｎｉｎｇ  Ｓｙｓｔｅｍ）、ネットワーク時間プロトコル等によって絶対時間を取得することができ、該相対時間のオフセットを足すと、端末２０のポーティングの具体的な時刻を得ることができる。
【０１２９】
それによって、本実施例において、端末２０は登録が完了する時に、基地局１０は、時間調整命令を送信して時間同期を実現する。その後、端末２０は、毎回、休止状態から復帰して、相対時間のオフセットによって基地局１０と時間を改めて校正を行い、それによって正確な時刻で報告データを送信するように確保する。
【０１３０】
そのため、端末を配置してから場所を変わらないように保持し、基地局も位置の変動がない場合、無線伝送パスが不変に保持されると見なすことができ、伝送遅延も基本的に変わらず、このような時間校正方法は、充分の精度が備えられていると見なすことができる。必要に応じて（例えば、報告情報を不備で受信される場合など）基地局は、端末に時間同期を起こすことができ、時間の校正を実現する。
【０１３１】
上記の分析に基づいて、本発明の実施例におけるマシン型通信方法は大規模のマシン通信システムに適用することができ、ここで端末登録とスケジューリングの過程は簡単で統一されており、マシン通信端末の複雑度、消耗電力、及びシステムリソースに対する占用を減少することができ、ＭＴＣシステムの配置コストを削減し、電池給電設備の使用時間を延ばすことができ、将来の大規模の無線マシン通信システムの応用に有利である。
【０１３２】
図２は本発明の他の実施例におけるマシン型通信方法のフローチャートである。図２に示されている方法は、Ｓ２０１〜Ｓ２０４を含む。
【０１３３】
Ｓ２０１において、基地局は、端末より送信された端末のアイデンティティーとサービス登録情報を受信し、前記サービス登録情報は、サービスタイプとサービス加入情報を含む。
【０１３４】
Ｓ２０２において、前記基地局は、前記サービス登録情報に基づいて、前記端末に報告時間周波数リソース情報を割り当てる。
【０１３５】
Ｓ２０３において、前記基地局は、前記報告時間周波数リソース情報を前記端末に送信する。
【０１３６】
Ｓ２０４において、前記基地局は、前記端末が前記報告時間周波数リソース情報に基づいて送信された上りデータパケットを受信する。
【０１３７】
本発明の実施例において、端末が基地局に上りデータパケットを送信することを確保するために、基地局は、端末に報告時間周波数リソース情報を割り当て、このようなスケジューリングは簡単で統一しており、マシン通信端末の複雑度、消耗電力、及びシステムリソースに対する占用を減少することができ、ＭＴＣシステムの配置コストを削減し、電池給電設備の使用時間を延ばすことができる。
【０１３８】
本発明の実施例において、Ｓ２０１の前に、端末が登録を行って認証検証を完了させる過程を含むことができる。端末登録の後に、基地局が端末より送信された登録情報をさらに含むことができる。ここで、端末登録については、図１の実施例におけるＳ１０２〜Ｓ１０４の説明を参照すれば良い。ここで、認証検証、及びＳ２０１については、上記の図１の実施例におけるＳ１０５の説明を参照しても良く、重複を避けるために、これについてそれ以上述べない。
【０１３９】
また、Ｓ２０１の前、又はその後、又はＳ２０１と同時に実施するように、前記端末より送信された電池容量情報と上り送信パワーレベル情報を受信することと、前記電池容量情報と前記上り送信パワーレベル情報に基づいて、前記端末の電池使用状況を確定し、前記基地局の受信パワー損失を計算することとをさらに含むことができる。また、前記電池容量情報と前記上り送信パワーレベル情報に対する復調が失敗した場合、前記端末に命令情報を送信し、前記命令情報は、前記端末が上り送信パワーをあげるように指示するために用いられる。
【０１４０】
また、Ｓ２０２において、基地局はサービス登録情報に基づいて、端末のアイデンティティーに対応する端末に報告時間周波数リソース情報を割り当てる。
【０１４１】
選択肢としては、Ｓ２０２における報告時間周波数リソース情報は、時間周波数リソース位置情報と報告周期を含むことができる。又は、報告時間周波数リソース情報は、時間周波数リソースシーケンス生成方法と報告周期を含むことができる。又は、報告時間周波数リソース情報は、時間周波数リソース位置情報と報告回数を含むことができる。
【０１４２】
また、報告時間周波数リソース情報は、基地局が他の端末に割り当てる報告時間周波数リソース情報と同じになっても良い。
【０１４３】
本発明の実施例において、Ｓ２０２については、前記の図１の実施例におけるＳ１０６の説明を参照しても良く、重複を避けるために、ここでそれ以上述べない。
【０１４４】
選択肢としては、Ｓ２０３の前に、前記端末のために無線接続を確立し、前記基地局は、能動的に前記無線接続を解放しないことをさらに含むことができる。それに対して、これから、ネットワーク装置又は前記端末より送信される終了要求を受信することができ、前記終了要求に基づいて、前記無線接続を解放する。
【０１４５】
本発明の実施例において、Ｓ２０３については、前記の図１の実施例におけるＳ１０７の説明を参照してもよく、重複を避けるために、ここでそれ以上述べない。
【０１４６】
選択肢としては、一つの実施例として、図２に示されている方法は、前記端末に唯一の識別子を割り当てることと、前記端末にローカルの短いアドレスを割り当てることと、前記識別子と前記ローカルの短いアドレスとの対応関係を確立することと、前記識別子を前記端末に送信することと、前記ローカルの短いアドレスをネットワーク装置に送信することとをさらに含むことができ、前記識別子の長さは、予め設定された閾値より小さい。該過程は、Ｓ１０５の後に実施しても良く、例えば、Ｓ１０７の前、又はその後に実施することである。本発明は、それについて限定しない。
【０１４７】
これによって、基地局は、識別子を含む上りデータパケットを端末より受信してから、前記識別子をローカルの短いアドレスに置換え、前記置き換えた上りデータパケットをネットワーク装置に送信することができる。同様に、基地局は、ネットワーク装置から、ローカルの短いアドレスを含む下りデータパケットを受信してから、下りデータパケット内の前記ローカルの短いアドレスを前記識別子に置換え、前記置き換えた下りデータパケットを前記端末に転送することができる。
【０１４８】
本発明の実施例において、Ｓ２０４については、上記の図１の実施例におけるＳ１０９の説明を参照しても良く、重複を避けるために、ここでそれ以上述べない。
【０１４９】
また、端末がデータパケット伝送の完了後に休止状態に入ることになるため、基地局は、前記端末に相対時間のオフセットを送信することが可能であり、前記端末が休止状態から復帰した後に、前記相対時間のオフセットを利用して時間の校正を行うようにする。具体的に、基地局は、周期的に相対時間のオフセットをブロードキャストで送信することができる。ここで、相対時間のオフセットは、システムフレーム番号であっても良い。
【０１５０】
このように、本発明の実施例において、端末の基地局への上りデータパケットの送信を確保するため、基地局は端末に報告時間周波数リソース情報を割り当て、このようなスケジューリングが簡単で統一されており、マシン通信端末の複雑度、消耗電力、及びシステムリソースに対する占用を減少することができ、ＭＴＣシステムの配置コストを削減し、電池給電設備の使用時間を延ばすことができる。
【０１５１】
図３は、本発明のさらに一つの実施例におけるマシン型通信方法のフローチャートである。図３に示されている方法は、Ｓ３０１〜Ｓ３０３を含む。
【０１５２】
Ｓ３０１において、端末は、基地局に端末のアイデンティティーとサービス登録情報を送信し、前記サービス登録情報は、サービスタイプとサービス加入情報を含む。
【０１５３】
Ｓ３０２において、前記端末は、前記基地局が前記サービス登録情報に基づいて前記端末に割り当てた報告時間周波数リソース情報を受信する。
【０１５４】
Ｓ３０３において、前記端末は、前記報告時間周波数リソース情報に基づいて、前記基地局に上りデータパケットを送信する。
【０１５５】
本発明の実施例において、端末は、基地局により割り当てられた報告時間周波数リソース情報を受信し、基地局に上りデータパケットを送信し、このようなスケジューリングは簡単で統一しており、マシン通信端末の複雑度、消耗電力、及びシステムリソースに対する占用を減少することができ、ＭＴＣシステムの配置コストを削減し、電池給電設備の使用時間を延ばすことができる。
【０１５６】
本発明の実施例において、Ｓ３０１の前に、端末は、登録、認証検証を行うことができる。ここで、端末登録については、図１の実施例におけるＳ１０２〜Ｓ１０４の説明を参照すれば良い。ここで、認証検証、及びＳ３０１については、上記の図１の実施例におけるＳ１０５の説明を参照してもよく、重複を避けるために、ここでそれ以上述べない。
【０１５７】
選択肢としては、Ｓ３０１の前、又はその後、又は与Ｓ３０１と同時に実施するように、前記基地局が前記電池容量情報と前記上り送信パワーレベル情報に基づいて、前記端末の電池使用状況を確定し、前記基地局の受信パワー損失を計算するために、前記基地局に前記端末の電池容量情報と上り送信パワーレベル情報を送信することを含むことができる。
【０１５８】
基地局が複数の端末より送信されたサービス登録情報を受信する可能性があるため、Ｓ３０１における端末のアイデンティティーは、基地局が端末を識別するためのものであると理解すべきである。
【０１５９】
なお、Ｓ３０２の前に、前記基地局と無線接続を確立し、基地局は能動的に該無線接続を解放しないことをさらに含む。ここの無線接続はＲＲＣであっても良い。図３の実施例の後に、端末の電池電量が予め設定された電量閾値より小さい場合、アラーム情報を送信し、前記基地局に終了要求を送信する。前記基地局は、前記終了要求に基づいて、前記無線接続を解放するようにする。
【０１６０】
選択肢としては、Ｓ３０２における報告時間周波数リソース情報は、時間周波数リソース位置情報と報告周期を含むことが可能である。又は、報告時間周波数リソース情報は、時間周波数リソースシーケンス生成方法と報告周期を含むことが可能である。又は、報告時間周波数リソース情報は、時間周波数リソース位置情報と報告回数を含むことが可能である。
【０１６１】
また、報告時間周波数リソース情報は、基地局が他の端末に割り当てる報告時間周波数リソース情報と同じになっても良い。
【０１６２】
本発明の実施例において、Ｓ３０２については、上記の図１の実施例におけるＳ１０７の説明を参照しても良く、重複を避けるために、ここでそれ以上述べない。
【０１６３】
それに応じて、Ｓ３０３において、報告時間周波数リソース情報が、時間周波数リソース位置情報と報告周期を含む場合、端末は、前記時間周波数リソース位置において、前記報告周期で、前記基地局周期に前記上りデータパケットを送信する。報告時間周波数リソース情報が、時間周波数リソースシーケンス生成方法と報告周期を含む場合、端末は、前記時間周波数リソースシーケンス生成方法に基づいて、時間周波数リソースシーケンスを生成し、前記時間周波数リソースシーケンスにおいて、前記報告周期で、前記基地局に前記上りデータパケットを送信する。報告時間周波数リソース情報は、時間周波数リソース位置情報と報告回数を含む場合、端末は、前記時間周波数リソース位置で、前記基地局に周期的に前記上りデータパケットを送信し、送信回数は前記報告回数である。
【０１６４】
また、Ｓ３０３の前に、端末は、基地局より送信された識別子を受信することができ、前記識別子の長さは予め設定された閾値より小さい。そのため、端末のＳ３０３において送信された上りデータパケットは該識別子を含むことができる。
【０１６５】
本発明の実施例において、Ｓ３０３については、上記の図１の実施例におけるＳ１０９の説明を参照してもよく、重複を避けるために、ここでそれ以上述べない。
【０１６６】
選択肢としては、Ｓ３０３の後に、端末は、休止状態に入ることができる。その後、端末が前記休止状態から復帰してから、前記基地局より送信される相対時間のオフセットをリスニングし、記憶されている時間基準及び前記相対時間のオフセットに基づいて、時間の校正を行う。ここで、相対時間のオフセットは、システムフレーム番号であっても良い。
【０１６７】
このように、本発明の実施例において、端末は、基地局の割り当てられた報告時間周波数リソース情報を取得し、基地局に上りデータパケットを送信し、このようなスケジューリングは簡単で統一しており、マシン通信端末の複雑度、消耗電力、及びシステムリソースに対する占用を減少することができ、ＭＴＣシステムの配置コストを削減し、電池給電設備の使用時間を延ばすことができる。
【０１６８】
図４は、本発明の一つの実施例における基地局のブロック図である。図４に示されている基地局４００は、受信ユニット４０１、割り当てユニット４０２及び送信ユニット４０３を含む。
【０１６９】
受信ユニット４０１は、端末より送信された端末のアイデンティティーとサービス登録情報を受信するように用いられ、前記サービス登録情報は、サービスタイプとサービス加入情報を含む。
【０１７０】
割り当てユニット４０２は、受信ユニット４０１によって受信された前記サービス登録情報に基づいて、前記端末に報告時間周波数リソース情報を割り当てるように用いられる。
【０１７１】
送信ユニット４０３は、割り当てユニット４０２より割り当てられた前記報告時間周波数リソース情報を前記端末に送信するように用いられる。
【０１７２】
受信ユニット４０１は、前記端末の前記報告時間周波数リソース情報に基づいて送信された上りデータパケットを受信するように用いられる。
【０１７３】
本発明の実施例において、端末が基地局に上りデータパケットを送信することを確保するために、基地局は、端末に報告時間周波数リソース情報を割り当てる。このようなスケジューリングは簡単で統一しており、マシン通信端末の複雑度、消耗電力、及びシステムリソースに対する占用を減少することができ、ＭＴＣシステムの配置コストを削減し、電池給電設備の使用時間を延ばすことができる。
【０１７４】
選択肢としては、もう一つの実施例として、基地局４００は、確立ユニットをさらに含むことができ、前記端末と無線接続を確立するように用いられ、前記基地局は能動的に前記無線接続を解放しない。
【０１７５】
選択肢としては、もう一つの実施例として、基地局４００は、解放ユニットをさらに含むことができる。受信ユニット４０１はさらに、ネットワーク装置又は前記端末より送信される終了要求を受信するように用いられる。解放ユニットは、受信ユニット４０１の受信された前記終了要求に基づいて、前記無線接続を解放するように用いられる。ここで、前記ネットワーク装置は、無線アクセスネットワーク、ユーザアイデンティティーデータサーバ（例えば、ＨＬＲ）、認証サーバ、及びＭＴＣサービス加入サーバのいずれか一つであっても良い。
【０１７６】
選択肢としては、もう一つの実施例として、前記報告時間周波数リソース情報は、時間周波数リソース位置情報と報告周期を含む。又は、前記報告時間周波数リソース情報は、時間周波数リソースシーケンス生成方法と報告周期を含む。又は、前記報告時間周波数リソース情報は、時間周波数リソース位置情報と報告回数を含む。
【０１７７】
選択肢としては、もう一つの実施例として、前記報告時間周波数リソース情報は、前記割り当てユニットがもう一つの端末に割り当てる報告時間周波数リソース情報と同じである。
【０１７８】
選択肢としては、もう一つの実施例として、前記端末が、休止状態から復帰してから、前記相対時間のオフセットを利用して時間の校正を行うために、送信ユニット４０３はさらに、前記端末に相対時間のオフセットを送信するように用いられる。ここで、前記相対時間のオフセットは、システムフレーム番号であっても良い。
【０１７９】
選択肢としては、もう一つの実施例として、基地局４００はさらに、確立ユニットを含むことができる。割り当てユニット４０２はさらに、前記端末に唯一の識別子を割り当て、また前記端末にローカルの短いアドレスを割り当てるように用いられ、前記識別子の長さが予め設定された閾値より小さい。確立ユニットは、前記識別子と前記ローカルの短いアドレスとの対応関係を確立するように用いられる。送信ユニット４０３はさらに、前記識別子を前記端末に送信し、前記ローカルの短いアドレスをネットワーク装置に送信するように用いられる。
【０１８０】
選択肢としては、もう一つの実施例として、前記上りデータパケットは前記端末の識別子を含み、送信ユニット４０３はさらに、前記識別子を前記ローカルの短いアドレスに置換え、前記置き換えた上りデータパケットを前記ネットワーク装置に転送するように用いられる。
【０１８１】
選択肢としては、もう一つの実施例として、受信ユニット４０１はさらに、前記ネットワーク装置より送信された下りデータパケットを受信するように用いられ、前記下りデータパケットは、前記ローカルの短いアドレスを含む。送信ユニット４０３はさらに、前記下りデータパケット内の前記ローカルの短いアドレスを前記識別子に置換え、前記置き換えた下りデータパケットを前記端末に転送するように用いられる。
【０１８２】
選択肢としては、もう一つの実施例として、基地局４００はさらに、確定ユニットを含む。受信ユニット４０１はさらに、前記端末より送信された電池容量情報と上り送信パワーレベル情報を受信するように用いられる。確定ユニットは、前記電池容量情報と前記上り送信パワーレベル情報に基づいて、前記端末の電池使用状況を確定し、前記基地局の受信パワー損失を計算するように用いられる。
【０１８３】
また、前記電池容量情報と前記上り送信パワーレベル情報に対する復調が失敗した場合、送信ユニット４０３はさらに、前記端末に命令情報を送信するように用いられ、前記命令情報は、前記端末が上り送信パワーを上げるように指示するために用いられる。
【０１８４】
なお、本発明の実施例において、受信ユニット４０１は、受信機によって実現されることが可能である。送信ユニット４０３は送信機によって実現されることが可能である。割り当てユニット４０２、確立ユニット、解放ユニット及び確定ユニットは、プロセッサによって実現されることが可能である。図５に示すように、基地局５００は、プロセッサ５０１、受信機５０２、送信機５０３及び記憶装置５０４を含むことが可能である。ここで、記憶装置５０４はプロセッサ５０１で実行するコードなどを記憶するように用いられる。
【０１８５】
基地局５００内の各コンポーネントはバスシステム５０５によってカップリンブしており、ここでバスシステム５０５は、データバス以外に、電源バス、制御バス及び状態信号バスを含む。
【０１８６】
図４に示されている基地局４００、又は図５に示されている基地局５００は、前記の図１と図２の実施例における基地局によって実現する各フローを実現することができ、重複を避けるために、ここでそれ以上述べない。
【０１８７】
図６は、本発明の一つの実施例における端末のブロック図である。図６に示されている端末６００は、送信ユニット６０１と受信ユニット６０２を含む。
【０１８８】
送信ユニット６０１は、基地局に端末のアイデンティティーとサービス登録情報を送信するように用いられ、前記サービス登録情報はサービスタイプとサービス加入情報を含む。
【０１８９】
受信ユニット６０２は、前記基地局が送信ユニット６０１により送信された前記サービス登録情報に基づいて、前記端末に割り当てられた報告時間周波数リソース情報を受信するように用いられる。
【０１９０】
送信ユニット６０１はさらに、前記報告時間周波数リソース情報に基づいて、前記基地局に上りデータパケットに送信するように用いられる。
【０１９１】
本発明の実施例において、端末は、基地局より割り当てられた報告時間周波数リソース情報を取得し、基地局に上りデータパケットを送信する。このようなスケジューリングは簡単で統一しており、マシン通信端末の複雑度、消耗電力、及びシステムリソースに対する占用を減少することができ、ＭＴＣシステムの配置コストを削減し、電池給電設備の使用時間を延ばすことができる。
【０１９２】
選択肢としては、もう一つの実施例として、受信ユニット６０２はさらに、前記基地局より送信された識別子を受信するように用いられ、前記識別子の長さは予め設定された閾値より小さい。ここで、前記上りデータパケットは前記識別子を含む。
【０１９３】
選択肢としては、もう一つの実施例として、前記報告時間周波数リソース情報は、時間周波数リソース位置情報と報告周期を含む。送信ユニット６０１は、具体的に、前記時間周波数リソース位置において、前記報告周期で、前記基地局に周期的に前記上りデータパケットを送信するように用いられる。
【０１９４】
選択肢としては、もう一つの実施例として、前記報告時間周波数リソース情報は、時間周波数リソースシーケンス生成方法と報告周期を含む。送信ユニット６０１は、具体的に、前記時間周波数リソースシーケンス生成方法に基づいて、時間周波数リソースシーケンスを生成し、前記時間周波数リソースシーケンスにおいて、前記報告周期で、前記基地局に前記上りデータパケットを送信するように用いられる。
【０１９５】
選択肢としては、もう一つの実施例として、前記報告時間周波数リソース情報は、時間周波数リソース位置情報と報告回数を含む。送信ユニット６０１は、具体的に、前記時間周波数リソース位置において、前記基地局に周期的に前記上りデータパケットを送信するように用いられ、送信回数は前記報告回数である。
【０１９６】
選択肢としては、もう一つの実施例として、送信ユニット６０１はさらに、前記基地局が前記電池容量情報と前記上り送信パワーレベル情報に基づいて、前記端末の電池使用状況を確定し、前記基地局の受信パワー損失を計算するために、前記基地局に前記端末の電池容量情報と上り送信パワーレベル情報を送信するように用いられる。
【０１９７】
選択肢としては、もう一つの実施例として、端末６００はさらに、処理ユニットを含むことができ、前記上りデータパケットを送信した後に、休止状態に入らせるように用いられる。
【０１９８】
選択肢としては、もう一つの実施例として、受信ユニット６０２はさらに、前記休止状態から復帰してから、前記基地局より送信された相対時間のオフセットをリスニングするように用いられる。処理ユニットはさらに、記憶されている時間基準及び前記相対時間のオフセットに基づいて、時間の校正を行うように用いられる。ここで、前記相対時間のオフセットはシステムフレーム番号である。
【０１９９】
選択肢としては、もう一つの実施例として、処理ユニットはさらに、前記基地局と無線接続を確立するように用いられる。
【０２００】
選択肢としては、もう一つの実施例として、送信ユニット６０１はさらに、前記端末の電池電量が予め設定された電量閾値より小さい場合、前記基地局が終了要求に基づいて前記無線接続を解放するために、アラーム情報を送信し、前記基地局に前記終了要求を送信するように用いられる。
【０２０１】
なお、本発明の実施例において、受信ユニット６０２は、受信機によって実現されることができ、送信ユニット６０１は、送信機によって実現されることができ、処理ユニットはプロセッサによって実現されることができる。図７に示すように、端末７００は、プロセッサ７０１、受信機７０２、送信機７０３及び記憶装置７０４を含むことができる。ここで、記憶装置７０４は、上記の時間基準を記憶するように用いられることができ、プロセッサ７０１で実行するコードなどを記憶するように用いられることができる。
【０２０２】
端末７００内の各コンポーネントは、バスシステム７０５によってカップリンブしており、ここでバスシステム５０５はデータバス以外に、電源バス、制御バス及び状態信号バスを含むことができる。
【０２０３】
図６に示されている端末６００、又は図７に示されている端末７００は、上記の図１と図３の実施例における端末によって実現される各フローを実現することができ、重複を避けるために、ここでそれ以上述べない。
【０２０４】
なお、本発明の上記の方法実施例は、プロセッサに適用されることが可能で、又はプロセッサによって実現する。プロセッサは、集積回路チップであっても良く、信号の処理能力を備える。実現において、上記の方法実施例の各ステップは、プロセッサ内のハードウェアの集積ロジック回路又はソフトウェアの形式の命令によって完成することができる。上記のプロセッサは、汎用なプロセッサであっても良く、デジタルシグナルプロセッサ（ＤＳＰ：Ｄｉｇｉｔａｌ  Ｓｉｇｎａｌ  Ｐｒｏｃｅｓｓｏｒ）であっても良く、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）であっても良く、現場でプログラム可能なゲートアレイ（ＦＰＧＡ：Ｆｉｅｌｄ  Ｐｒｏｇｒａｍｍａｂｌｅ  Ｇａｔｅ  Ａｒｒａｙ）、又はその他のプログラミング可能なロジック機器、離散ゲート又はトランジスタ論理回路、離散ハードウェアコンポーネントであっても良い。本発明の実施例において開示されている各方法、ステップ及びロジックブロックを実現又は実施することができる。汎用プロセッサは、マイクロプロセッサであっても良く、又は該プロセッサは、任意の通常のプロセッサ等であっても良い。本発明の実施例に開示されている方法のステップを結合して、ハードウェア解読プロセッサによって完成し、又は解読プロセッサ内のハードウェアとソフトウェアモジュールとの組み合わせで実行して完成するように示す。ソフトウェアモジュールは、ランダム記憶装置、フラッシュメモリ、読み取り専用記憶装置、プログラム可能な読み取り専用記憶装置又は電子的消去可能なプログラミング可能な記憶装置、レジスタなどの本分野の成熟な記憶媒体に記憶されることが可能である。該記憶媒体は、記憶装置にあり、プロセッサは、記憶装置内の情報を読み取り、そのハードウェアと結合して上記の方法のステップを完成させる。
【０２０５】
なお、本発明の実施例における記憶装置は、揮発性記憶装置又は不揮発性記憶装置であっても良く、又は揮発性と不揮発性記憶装置の両者を含む。ここで、不揮発性記憶装置は、読み取り専用記憶装置（ＲＯＭ：Ｒｅａｄ−Ｏｎｌｙ  Ｍｅｍｏｒｙ）、プログラミング可能な読み取り専用記憶装置（ＰＲＯＭ：Ｐｒｏｇｒａｍｍａｂｌｅ  ＲＯＭ）、消去可能なプログラミング可能な読み取り専用記憶装置（ＥＰＲＯＭ：Ｅｒａｓａｂｌｅ  ＰＲＯＭ）、電子消去可能なプログラミング可能な読み取り専用記憶装置（ＥＥＰＲＯＭ：Ｅｌｅｃｔｒｉｃａｌｌｙ  ＥＰＲＯＭ）又は、フラッシュメモリであっても良い。揮発性記憶装置は、ランダムアクセス記憶装置（ＲＡＭ：Ｒａｎｄｏｍ  Ａｃｃｅｓｓ  Ｍｅｍｏｒｙ）であっても良く、外付け高速キャッシュとして用いられる。上記について制限的ではなく、例示的に説明するためのものであり、数多くの形式のＲＡＭは使用することが可能であり、例えば、スタティックランダムアクセス記憶装置（ＳＲＡＭ：Ｓｔａｔｉｃ  ＲＡＭ）、ダイナミックランダムアクセス記憶装置（ＤＲＡＭ：Ｄｙｎａｍｉｃ  ＲＡＭ）、同期スタティックランダムアクセス記憶装置（ＳＤＲＡＭ：ＳｙｎｃｈｒｏｎｏｕＳ  ＤＲＡＭ）、ダブルデータレート同期スタティックランダムアクセス記憶装置（Ｄｏｕｂｌｅ  Ｄａｔａ  Ｒａｔｅ  ＳＤＲＡＭ、ＤＤＲ  ＳＤＲＡＭ）、拡張型同期スタティックランダムアクセス記憶装置（ＥＳＤＲＡＭ：Ｅｎｈａｎｃｅｄ  ＳＤＲＡＭ）、同期リンクダイナミックランダムアクセス記憶装置（ＳＬＤＲＡＭ：Ｓｙｎｃｈｌｉｎｋ  ＤＲＡＭ）と直接メモリバスランダムアクセス記憶装置（ＤＲ  ＲＡＭ：Ｄｉｒｅｃｔ  Ｒａｍｂｕｓ  ＲＡＭ）である。なお、ここで説明しているシステムと方法の記憶装置は、上記装置及びその他の適切なタイプの装置を含むが、上記装置に限らない。
【０２０６】
当業者は、本願に開示されている実施例で説明されている各例示的なユニット及びアルゴリズムのステップを考慮し、電子ハードウェア、又はコンピュータソフトウェアと電子ハードウェアの結合で実現することができる。これらの機能はハードウェアかそれともソフトウェアの形式で実施するかについては、技術案の特定応用と設計制約によるものである。当業者は、各特定応用に対して異なる方法を用いて、説明されている機能を実現することができるが、このような実現は本発明の範囲を超えないようにすべきである。
【０２０７】
当業者は、説明の便利と簡潔上、上記に記載されているシステム、装置及びユニットの具体的な作業フローについては、上記の方法実施例の対応されているフローを参照することができ、ここでそれ以上述べない。
【０２０８】
本願に提供されている幾つかの実施例において、開示されているシステム、装置及び方法は、その他の方式で実現されても良い。例えば、上記に記載されている装置実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ結合、又は集成しても良く、又は幾つかの技術特徴を省略、又は実施しなくても良い。また、明示され、又は議論されている各構成部分の間のカップリング、又は直接のカップリング、又は通信接続は、幾つかのインターフェース、装置、又はユニットの間接のカップリング又は通信によって接続されても良く、電気的、機械的、又はその他の形式であっても良い。
【０２０９】
上記で分離部品として説明したユニットは、物理的に分離されるものであっても良く、そうではないものであっても良い。ユニットとしての部品は物理ユニットであっても良く、そうではないものであっても良い。一箇所に置かれても良く、複数のネットワークユニットに配布しても良い。実際のニーズに応じて、その中の一部又は全部のユニットを選択して本実施例の技術案の目的を実現しても良い。
【０２１０】
また、本発明の各実施例内の各機能ユニットは全て一つの処理ユニットに集成しても良く、各ユニットはそれぞれ単独なユニットとしても良く、二つ又は二つ以上のユニットを一つのユニットに集成しても良い。
【０２１１】
前記機能は、ソフトウェア機能ユニットの方式で実現し、しかも独立な製品として販売又は使用する時に、コンピュータ読み取り可能の記憶媒体に記憶しても良い。これによって、本発明の実施例の技術案が事実的に、言い換えれば先行技術に貢献した部分がソフトウェア製品の形で体現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０２１２】
上記に記載されているのは、単なる本発明の具体的な実施形態に過ぎず、本発明はそれを限定せず、当業者が本発明に開示されている範囲内において、容易に想到し得る変形又は置換は、本発明の範囲内に含まれるべきである。そのため、本発明の範囲は、記載されている特許請求の範囲に準じるべきである。
【図１】
2018516506.tif 000003
【図２】
2018516506.tif 000004
【図３】
2018516506.tif 000005
【図４】
2018516506.tif 000006
【図５】
2018516506.tif 000007
【図６】
2018516506.tif 000008
【図７】
2018516506.tif 000009
【手続補正書】
【提出日】平成29年12月4日(2017.12.4)
【手続補正１】
【補正対象書類名】明細書
【補正対象項目名】００５８
【補正方法】変更
【補正の内容】
【００５８】
選択肢としては、上記に確定されたタイプが長いアクセスリソースである場合、端末２０は前記特性シーケンスの二進法の形式の最後の
2018516506.tif 000010
桁の数値に基づいて、前記使用しようとするアクセスリソースの番号情報と位置情報を確定することができる。ここで、
2018516506.tif 000011
が切り捨てを示し、Ｌが前記長いアクセスリソースの数を示す。例えばＬ＝１６である場合、最後の４桁を取って「１１１１ｂ」になり、Ｌ＝１４である場合、「１１０１ｂ」になる。上記に確定されたタイプが普通のアクセスリソースである場合、端末２０は、前記特性シーケンスの二進法の形式の最後の
2018516506.tif 000012
桁の数値に基づいて、前記使用しようとするアクセスリソースの番号情報と位置情報を確定することができる。ここで、
2018516506.tif 000013
が切り捨てを示し、Ｎが前記普通のアクセスリソースの数を示す。
【手続補正２】
【補正対象書類名】特許請求の範囲
【補正対象項目名】全文
【補正方法】変更
【補正の内容】
【特許請求の範囲】
【請求項１】
マシン型通信（ＭＴＣ）方法であって、
基地局は、端末より送信された端末のアイデンティティーとサービス登録情報を受信することと、
前記基地局は、前記サービス登録情報に基づいて、前記端末に報告時間周波数リソース情報を割り当てることと、
前記基地局は、前記報告時間周波数リソース情報を前記端末に送信することと、
前記基地局は、前記端末が前記報告時間周波数リソース情報に基づいて送信された上りデータパケットを受信することと、を含み、
前記サービス登録情報は、サービスタイプとサービス加入情報を含むことを特徴とする、マシン型通信方法。
【請求項２】
前記報告時間周波数リソース情報を前記端末に送信する前に、
前記端末のために無線接続を確立し、前記基地局は、能動的に前記無線接続を解放しないことと、
ネットワーク装置又は前記端末より送信される終了要求を受信することと、
前記終了要求に基づいて、前記無線接続を解放することと、
をさらに含むことを特徴とする請求項１に記載のマシン型通信方法。
【請求項３】
前記報告時間周波数リソース情報は、時間周波数リソース位置情報と報告周期を含み、  又は、
前記報告時間周波数リソース情報は、時間周波数リソースシーケンス生成方法と報告周期を含み、
又は、
前記報告時間周波数リソース情報は、時間周波数リソース位置情報と報告回数を含み、
及び／又は、
前記報告時間周波数リソース情報は、前記基地局が他の端末に割り当てる報告時間周波数リソース情報と同じである
ことを特徴とする請求項１又は２に記載のマシン型通信方法。
【請求項４】
前記端末が、休止状態から復帰してから相対時間のオフセットを利用して時間の校正を行うために、前記端末に前記相対時間のオフセットを送信すること、
をさらに含み、
前記相対時間のオフセットは、システムフレーム番号であることを特徴とする請求項１乃至３のいずれか１項に記載のマシン型通信方法。
【請求項５】
前記方法は、
前記端末に、長さが予め設定された閾値より小さい唯一の識別子を割り当てることと、  前記端末にローカルの短いアドレスを割り当てることと、
前記識別子と前記ローカルの短いアドレスとの対応関係を確立することと、
前記識別子を前記端末に送信し、前記ローカルの短いアドレスをネットワーク装置に送信することと、
をさらに含み、
前記上りデータパケットは前記端末の識別子を含み、
前記方法は、前記識別子を前記ローカルの短いアドレスに置換え、前記置き換えた上りデータパケットを前記ネットワーク装置に転送することと、
又は、
前記ネットワーク装置より送信された、前記ローカルの短いアドレスを含む下りデータパケットを受信することと、前記下りデータパケット内の前記ローカルの短いアドレスを前記識別子に置換え、前記置き換えた下りデータパケットを前記端末に転送することと、をさらに含むことを特徴とする請求項１乃至４のいずれか１項に記載のマシン型通信方法。
【請求項６】
前記端末より送信された電池容量情報と上り送信パワーレベル情報を受信することと、  前記電池容量情報と前記上り送信パワーレベル情報に基づいて、前記端末の電池使用状況を確定し、前記基地局の受信パワー損失を計算することと、
をさらに含み、
前記電池容量情報と前記上り送信パワーレベル情報とに対する復調が失敗した場合、前記端末に、前記端末が上り送信パワーを上げるように指示するための命令情報を送信することを特徴とする請求項１乃至５のいずれか１項に記載のマシン型通信方法。
【請求項７】
マシン型通信方法であって、
端末は、基地局に端末のアイデンティティーとサービス登録情報を送信することと、
前記端末は、前記基地局が前記サービス登録情報に基づいて前記端末に割り当てた報告時間周波数リソース情報を受信することと、
前記端末は、前記報告時間周波数リソース情報に基づいて、前記基地局に上りデータパケットを送信することと、を含み、
前記サービス登録情報は、前記端末のサービスタイプとサービス加入情報を含むことを特徴とするマシン型通信方法。
【請求項８】
前記基地局に上りデータパケットを送信する前に、
前記基地局より送信された、長さが予め設定された閾値より小さい識別子を受信することをさらに含み、
前記上りデータパケットは前記識別子を含み、
又は、
前記報告時間周波数リソース情報は、時間周波数リソース位置情報と報告周期を含み、前記報告時間周波数リソース情報に基づいて、前記基地局に上りデータパケットを送信することは、前記時間周波数リソース位置において、前記報告周期で、前記基地局に周期的に前記上りデータパケットを送信すること、を含み、
又は、
前記報告時間周波数リソース情報が、時間周波数リソースシーケンス生成方法と報告周期を含み、前記報告時間周波数リソース情報に基づいて、前記基地局に上りデータパケットを送信することは、前記時間周波数リソースシーケンス生成方法に基づいて、時間周波数リソースシーケンスを生成することと、前記時間周波数リソースシーケンスにおいて、前記報告周期で、前記基地局に前記上りデータパケットを送信することと、を含み、
又は、
前記報告時間周波数リソース情報が、時間周波数リソース位置情報と報告回数を含み、前記報告時間周波数リソース情報に基づいて、前記基地局に上りデータパケットを送信することは、前記時間周波数リソース位置において、前記基地局に周期的に前記上りデータパケットを送信することを含み、送信回数は前記報告回数であり、
又は、
前記基地局が電池容量情報と上り送信パワーレベル情報に基づいて前記端末の電池使用状況を確定し、前記基地局の受信パワー損失を計算するために、前記基地局に前記端末の前記電池容量情報と前記上り送信パワーレベル情報を送信すること、をさらに含むことを特徴とする請求項７に記載のマシン型通信方法。
【請求項９】
前記上りデータパケットを送信した後に、休止状態に入ることと、
前記休止状態から復帰してから、前記基地局より送信された相対時間のオフセットをリスニングすることと、
記憶されている時間基準及び前記相対時間のオフセットに基づいて、時間の校正を行うことと、をさらに含み、
前記相対時間のオフセットはシステムフレーム番号であることを特徴とする請求項７又は８に記載のマシン型通信方法。
【請求項１０】
前記基地局に端末のアイデンティティーとサービス登録情報を送信した後に、
前記基地局と無線接続を確立することと、
前記端末の電池電量が予め設定された電量閾値より小さい場合、前記基地局が終了要求に基づいて前記無線接続を解放するために、アラーム情報を送信し、前記基地局に前記終了要求を送信することと、
をさらに含むことを特徴とする請求項７乃至９のいずれか１項に記載のマシン型通信方法。
【請求項１１】
基地局であって、
端末より送信された端末のアイデンティティーとサービス登録情報を受信するように構成される受信ユニットと、
前記受信ユニットより受信された前記サービス登録情報に基づいて、前記端末に報告時間周波数リソース情報を割り当てるように構成される割り当てユニットと、
前記割り当てユニットより割り当てられた前記報告時間周波数リソース情報を前記端末に送信するように構成される送信ユニットと、を含み、
前記サービス登録情報は、サービスタイプとサービス加入情報を含み、
前記受信ユニットはさらに、前記端末が前記報告時間周波数リソース情報に基づいて送信された上りデータパケットを受信するように構成されることを特徴とする、基地局。
【請求項１２】
前記端末と無線接続を確立するように構成される確立ユニットを含み、
前記基地局は能動的に前記無線接続を解放せず、
解放ユニットをさらに含み、
前記受信ユニットはさらに、ネットワーク装置又は前記端末より送信される終了要求を受信するように構成され、
前記解放ユニットは、前記受信ユニットの受信された前記終了要求に基づいて、前記無線接続を解放するように構成されることを特徴とする請求項１１に記載の基地局。
【請求項１３】
前記報告時間周波数リソース情報は、時間周波数リソース位置情報と報告周期を含み、  又は、
前記報告時間周波数リソース情報は、時間周波数リソースシーケンス生成方法と報告周期を含み、
又は、
前記報告時間周波数リソース情報は、時間周波数リソース位置情報と報告回数を含み、
及び／又は、
前記報告時間周波数リソース情報は、前記割り当てユニットが他の端末に割り当てる報告時間周波数リソース情報と同じであることを特徴とする請求項１１又は１２に記載の基地局。
【請求項１４】
前記送信ユニットはさらに、
前記端末が休止状態から復帰してから、相対時間のオフセットを利用して時間の校正を行うために、前記端末に前記相対時間のオフセットを送信するように構成され、
前記相対時間のオフセットは、システムフレーム番号であることを特徴とする請求項１１乃至１３のいずれか１項に記載の基地局。
【請求項１５】
確立ユニットをさらに含み、
前記割り当てユニットはさらに、前記端末に、長さが予め設定された閾値より小さい唯一の識別子を割り当てるように構成され、
前記割り当てユニットはさらに、前記端末にローカルの短いアドレスを割り当てるように構成され、
前記確立ユニットは、前記識別子と前記ローカルの短いアドレスとの対応関係を確立するように構成され、
前記送信ユニットはさらに、前記識別子を前記端末に送信し、前記ローカルの短いアドレスをネットワーク装置に送信するように構成され、
前記上りデータパケットは前記端末の識別子を含み、
前記送信ユニットはさらに、前記識別子を前記ローカルの短いアドレスに置換え、前記置き換えた上りデータパケットを前記ネットワーク装置に転送するように構成され、
前記受信ユニットはさらに、前記ネットワーク装置より送信された下りデータパケットを受信するように構成され、前記下りデータパケットは、前記ローカルの短いアドレスを含み、
前記送信ユニットはさらに、前記下りデータパケット内の前記ローカルの短いアドレスを前記識別子に置換え、前記置き換えた下りデータパケットを前記端末に転送するように構成される
ことを特徴とする請求項１１乃至１４のいずれか１項に記載の基地局。
【請求項１６】
確定ユニットをさらに含み、
前記受信ユニットはさらに、前記端末より送信された電池容量情報と上り送信パワーレベル情報を受信するように構成され、
前記確定ユニットは、前記電池容量情報と前記上り送信パワーレベル情報に基づいて、前記端末の電池使用状況を確定し、前記基地局の受信パワー損失を計算するように構成され、
前記電池容量情報と前記上り送信パワーレベル情報に対する復調が失敗した場合、前記送信ユニットはさらに、前記端末に、前記端末が上り送信パワーを上げるように指示するための命令情報を送信するように構成されることを特徴とする請求項１１乃至１５のいずれか１項に記載の基地局。
【請求項１７】
端末であって、
基地局に端末のアイデンティティーとサービス登録情報を送信するように構成される送信ユニットと、
前記基地局が前記送信ユニットより送信された前記サービス登録情報に基づいて前記端末に割り当てた報告時間周波数リソース情報を受信するように構成される受信ユニットと、を含み、
前記サービス登録情報は、サービスタイプとサービス加入情報を含み、
前記送信ユニットはさらに、前記報告時間周波数リソース情報に基づいて、前記基地局に上りデータパケットを送信するように構成されることを特徴とする、端末。
【請求項１８】
前記受信ユニットはさらに、前記基地局より送信された、長さが予め設定された閾値より小さい識別子を受信するように構成され、
前記上りデータパケットは前記識別子を含み、
又は、
又前記報告時間周波数リソース情報は、時間周波数リソース位置情報と報告周期を含み、前記送信ユニットは、具体的に、前記時間周波数リソース位置において、前記報告周期で、前記基地局に周期的に前記上りデータパケットを送信するように構成され、
又は、
前記報告時間周波数リソース情報は、時間周波数リソースシーケンス生成方法と報告周期を含み、前記送信ユニットは、具体的に、前記時間周波数リソースシーケンス生成方法に基づいて、時間周波数リソースシーケンスを生成し、前記時間周波数リソースシーケンスにおいて、前記報告周期で、前記基地局に前記上りデータパケットを送信するように構成され、
又は、
前記報告時間周波数リソース情報は、時間周波数リソース位置情報と報告回数を含み、前記送信ユニットは、具体的に、前記時間周波数リソース位置において、前記基地局に周期的に前記上りデータパケットを送信するように用いられ、送信回数は前記報告回数であることを特徴とする請求項１７に記載の端末。
【請求項１９】
前記送信ユニットはさらに、
前記基地局が電池容量情報と上り送信パワーレベル情報に基づいて、前記端末の電池使用状況を確定し、前記基地局の受信パワー損失を計算するために、前記基地局に前記端末の前記電池容量情報と前記上り送信パワーレベル情報を送信するように構成される、
ことを特徴とする請求項１７又は１８に記載の端末。
【請求項２０】
前記上りデータパケットを送信した後に、休止状態に入らせるように構成される処理ユニットをさらに含み、前記受信ユニットはさらに、前記休止状態から復帰してから、前記基地局より送信された相対時間のオフセットをリスニングするように構成され、前記処理ユニットはさらに、記憶されている時間基準及び前記相対時間のオフセットに基づいて、時間の校正を行うように構成され、前記相対時間のオフセットはシステムフレーム番号であり、
又は、
前記基地局と無線接続を確立するように構成される処理ユニット、をさらに含み、前記送信ユニットはさらに、前記端末の電池電量が予め設定された電量閾値より小さい場合、前記基地局が終了要求に基づいて前記無線接続を解放するために、アラーム情報を送信し、前記基地局に前記終了要求を送信するように構成される
ことを特徴とする請求項１７乃至１９のいずれか１項に記載の端末。
【国際調査報告】
2018516506.tif 000014
2018516506.tif 000015
2018516506.tif 000016
2018516506.tif 000017